(57)【要約】  セルラー通信ネットワーク（３０）において実効的な測定を取得するためのシステムおよび方法を開示する。一実施形態では、セルラー通信ネットワーク（３０）におけるノード（５０、５２）（つまり測定するノード）は、ノード（５０、５２）で基準測定を実行する。基準測定は、１つまたは複数の干渉成分を含む。次いで、ノード（５０、５２）は、基準測定に含まれている干渉成分の少なくとも１つを緩和して、それによって実効的な測定を提供する。一実施形態では、実効的な測定は、測定するノード（５０、５２）によって使用されるか、別のノード（５０、５２）に報告されるか、または測定するノード（５０、５２）によって使用され、かつ別のノード（５０および５２）に報告される。【選択図】図３
2016504800.tif 000002
【特許請求の範囲】
【請求項１】
セルラー通信ネットワーク（３０）におけるノード（５０、５２）の運用の方法であって、
前記ノード（５０、５２）で、１つまたは複数の干渉成分を含む基準測定を実行することと、
前記ノード（５０、５２）で前記基準測定に含まれている前記１つまたは複数の干渉成分のうちの少なくとも１つの干渉成分を緩和して、実効的な測定を提供することと、
別のノード（５０、５２）へと前記実効的な測定を通知することと
を有するセルラー通信ネットワーク（３０）におけるノード（５０、５２）の運用の方法。
【請求項２】
前記基準測定の帯域幅、前記実効的な測定の帯域幅、および前記少なくとも１つの干渉成分の帯域幅のうちの少なくとも２つが異なる請求項１に記載の方法。
【請求項３】
別のノード（５０、５２）から実効的な測定に対する要求を受信すること
をさらに有する請求項１に記載の方法。
【請求項４】
前記実効的な測定を通知することは、状態に基づいて前記他方のノード（５０、５２）に前記実効的な測定を選択的に通知することを有する請求項１に記載の方法。
【請求項５】
前記少なくとも１つの干渉成分は、別のノード（５０、５２）によって無線送信された信号によって生成された干渉を含む請求項１に記載の方法。
【請求項６】
前記ノード（５０、５２）は、前記セルラー通信ネットワーク（３０）における無線ネットワークノード（５２）である請求項１に記載の方法。
【請求項７】
前記ノード（５０、５２）は、前記セルラー通信ネットワーク（３０）におけるワイヤレスデバイス（５０）である請求項１に記載の方法。
【請求項８】
前記ノード（５０、５２）は、前記ノード（５０および５２）によって実行される前記基準測定に含まれている前記１つまたは複数の干渉成分が１つまたは複数の残留干渉成分であるように、干渉を緩和することができるエンハンスト受信機を装備しており、
前記少なくとも１つの干渉成分を緩和することは、前記基準測定に含まれている前記１つまたは複数の残留干渉成分の少なくとも１つの残留干渉成分を緩和して、前記実効的な測定を提供することを有する
請求項１に記載の方法。
【請求項９】
前記基準測定は、第１のセル（３８、４２）についてのものであり、前記基準測定に含まれている前記１つまたは複数の残留干渉成分と、緩和された前記少なくとも１つの残留干渉成分の両方は、少なくとも１つの第２のセル（３８、４２）から受信された１つまたは複数の残留干渉成分を含む請求項８に記載の方法。
【請求項１０】
前記基準測定に含まれている前記少なくとも１つの残留干渉成分を緩和することは、
前記基準測定に含まれている前記少なくとも１つの残留干渉成分を緩和するための少なくとも１つの補償値を取得することと、
前記ノード（５０、５２）で前記基準測定に前記少なくとも１つの補償値を適用して、前記実効的な測定を提供することと、
を有する請求項９に記載の方法。
【請求項１１】
前記基準測定を実行することは、前記エンハンスト受信機が少なくとも部分的に非アクティブ化されているための、１つまたは複数の無線リソースについて基準測定を実行することを有しており、このため前記基準測定に含まれている前記１つまたは複数の残留干渉成分は、前記エンハンスト受信機によって緩和され得たであろうが緩和されていない１つまたは複数の残留干渉成分であり、
前記少なくとも１つの補償値を取得することは、前記ノード（５０、５２）の前記エンハンスト受信機によって緩和され得る残留干渉の量を示す基準値に基づいて、前記少なくとも１つの補償値を決定することを有する
請求項１０に記載の方法。
【請求項１２】
前記少なくとも１つの補償値を取得することは、前記少なくとも１つの補償値が前記少なくとも１つの残留干渉成分を少なくとも部分的に取り消すような前記少なくとも１つの補償値を決定することを有する請求項１０に記載の方法。
【請求項１３】
前記少なくとも１つの補償値は、少なくとも１つの所定の補償値である請求項１０に記載の方法。
【請求項１４】
前記少なくとも１つの補償値は、補償値の所定の組の少なくとも１つである請求項１０に記載の方法。
【請求項１５】
前記少なくとも１つの補償値は、前記ノード（５０、５２）の前記エンハンスト受信機によって緩和され得る残留干渉の量を示す基準値に基づく請求項１０に記載の方法。
【請求項１６】
前記少なくとも１つの補償値は、前記ノード（５０、５２）によって実行された１つまたは複数の以前の無線測定に基づく請求項１０に記載の方法。
【請求項１７】
前記少なくとも１つの補償値は、複数のノード（５０、５２）によって実行された複数の以前の測定に対する無線測定統計と、複数のノード（５０、５２）によって実行された複数の以前の無線測定に対する履歴データとからなる群の少なくとも１つに基づく請求項１０に記載の方法。
【請求項１８】
前記少なくとも１つの補償値は、基準無線測定の実行の仕方に基づく請求項１０に記載の方法。
【請求項１９】
前記少なくとも１つの補償値は、前記基準測定を実行するときに前記ノード（５０、５２）で測定された信号の帯域幅に基づく請求項１０に記載の方法。
【請求項２０】
前記少なくとも１つの補償値は、干渉推定のための帯域幅に基づく請求項１０に記載の方法。
【請求項２１】
前記少なくとも１つの補償値は、前記ノード（５０、５２）の１つまたは複数の干渉状態に基づく請求項１０に記載の方法。
【請求項２２】
前記少なくとも１つの補償値は、前記基準測定を実行するときに、干渉を処理する技術が前記ノード（５０、５２）で使用されたかどうかを示す情報に基づく請求項１０に記載の方法。
【請求項２３】
前記基準測定を実行するときに、１つまたは複数の干渉を処理する技術が前記ノード（５０、５２）で使用された場合、前記少なくとも１つの補償値は、前記１つまたは複数の干渉を処理する技術を示す情報に基づく請求項２２に記載の方法。
【請求項２４】
前記少なくとも１つの補償値は、前記ノード（５０、５２）に対するいくつかのアグレッサセルに基づく請求項１０に記載の方法。
【請求項２５】
前記基準測定を実行することは、複数の無線リソースに対して複数のサブ測定を実行することを有し、
前記基準測定に含まれている前記少なくとも１つの残留干渉成分を緩和することは、
前記少なくとも１つの残留干渉成分が存在する複数の無線リソースを判断することと、
前記基準測定を実行するために使用される複数の無線リソースを判断することと、
前記実効的な測定のための複数の無線リソースを判断することと、
前記少なくとも１つの残留干渉成分が存在する前記複数の無線リソースと、前記基準測定を実行するために使用される前記複数の無線リソースとの重複に基づいて、前記基準測定への前記少なくとも１つの残留干渉成分の影響を判断することと、
前記実効的な測定のための前記複数の無線リソース内の、前記基準測定への前記少なくとも１つの残留干渉成分の前記影響を打ち消して、前記実効的な測定を提供すること
を有する請求項９に記載の方法。
【請求項２６】
前記影響を判断することは、前記少なくとも１つの残留干渉成分が存在する前記複数の無線リソースが、前記基準測定を実行するために使用される前記複数の無線リソースと重複する１組の無線リソースを判断することを有し、
前記影響を打ち消すことは、
前記実効的な測定のための前記複数の無線リソース内にある前記１組の無線リソースの各無線リソースについて、前記基準測定のための前記複数のサブ測定のうち、その無線リソースに対応する１つのサブ測定から補償値を引いて、補償されたサブ測定を提供することと、
前記補償されたサブ測定に基づいて前記実効的な測定を提供することと
を有する請求項２５に記載の方法。
【請求項２７】
前記少なくとも１つの残留干渉成分を緩和することは、
前記少なくとも１つの残留干渉成分に対応する少なくとも１つの干渉信号の設定と、前記少なくとも１つの残留干渉成分に対応する前記少なくとも１つの干渉信号のための特徴データとからなる群の少なくとも１つを示す情報を取得することと、
前記情報に基づいて前記少なくとも１つの残留干渉成分を緩和することと
を有する請求項９に記載の方法。
【請求項２８】
前記少なくとも１つの干渉成分を緩和することは、１つまたは複数の所定の要件試験が満たされるように、前記少なくとも１つの干渉成分を緩和することである請求項１に記載の方法。
【請求項２９】
実効的な測定を提供する前記ノード（５０、５２）の能力に関する能力情報をネットワークノード（５２）に通知すること
をさらに有する請求項１に記載の方法。
【請求項３０】
前記能力情報は、
実効的な測定に関連する要求を受信することができる前記ノード（５０、５２）の能力を示す情報と、
実効的な測定を取得することができる前記ノード（５０、５２）の能力を示す情報と、
少なくとも１つのタイプの実効的な測定を取得することができる前記ノード（５０、５２）の能力を示す情報と、
少なくとも１つの信号タイプについての実効的な測定を取得することができる前記ノード（５０、５２）の能力を示す情報と、
少なくとも１つの干渉タイプを緩和することによって、実効的な測定を取得することができる前記ノード（５０、５２）の能力を示す情報と、
別のノード（５０、５２）に実効的な測定を通知することができる前記ノード（５０、５２）の能力を示す情報とからなる群の少なくとも１つを含む請求項２９に記載の方法。
【請求項３１】
基準測定ではなく実効的な無線測定が前記他方のノード（５０、５２）に報告されるべきことを判断すること
をさらに有しており、
前記実効的な測定を通知することは、実効的な測定が前記他方のノード（５０、５２）に報告されるべきであるとの判断に応じて、前記他方のノード（５０、５２）に前記実効的な測定を通知することを有する
請求項１に記載の方法。
【請求項３２】
前記少なくとも１つの干渉成分を緩和することは、実効的な測定が前記他方のノード（５０、５２）に報告されるべきであるという判断に応じて、前記少なくとも１つの干渉成分を緩和して、前記実効的な測定を提供することを有する請求項３１に記載の方法。
【請求項３３】
基準測定ではなく実効的な測定が前記他方のノード（５０、５２）に報告されるべきであると判断することは、所定の規則に基づいて、前記他方のノード（５０、５２）に実効的な測定が報告されるべきであると判断することを有する請求項３１に記載の方法。
【請求項３４】
基準測定ではなく実効的な測定が前記他方のノード（５０、５２）に報告されるべきであると判断することは、トリガイベントとトリガ条件とからなる群の１つに応じて、前記他方のノード（５０、５２）に実効的な測定が報告されるべきであると判断することを有する請求項３１に記載の方法。
【請求項３５】
基準測定ではなく実効的な測定が前記他方のノード（５０、５２）に報告されるべきであると判断することは、測定の目的に基づいて、前記他方のノード（５０、５２）に実効的な測定が報告されるべきであると判断することを有する請求項３１に記載の方法。
【請求項３６】
セルラー通信ネットワーク（３０）における運用のためのノード（５２）であって、
前記セルラー通信ネットワーク（３０）においてワイヤレス通信を提供するように設定された無線サブシステム（５６）と、
前記無線サブシステム（５６）と連携する処理サブシステム（５８）とを有しており、
前記処理サブシステム（５８）は、
前記ノード（５２）で、１つまたは複数の干渉成分を含む基準測定を実行することと、
前記ノード（５２）で前記基準測定に含まれている前記１つまたは複数の干渉成分の少なくとも１つの干渉成分を緩和して、実効的な測定を提供することと、
別のノード（５０、５２）に前記実効的な測定を通知することと
を行うように設定される、ノード（５２）。
【発明の詳細な説明】
【技術分野】
【０００１】
関連出願
本出願は、２０１２年１１月２日に出願した仮特許出願第６１／７２１，７８７号の優先権を主張するものであり、その開示全体が参照することにより本明細書に組み込まれる。
【０００２】
本開示は、ワイヤレス通信ネットワークに関し、詳細には、測定において干渉の影響を緩和することに関する。
【背景技術】
【０００３】
セルラー通信ネットワークに関して、ネットワークカバレッジ、収容能力、および個々のユーザのサービス体感に関してマクロネットワークのパフォーマンスを拡張するために、低電力ノード（たとえばピコ基地局、ホームｅＮｏｄｅＢ（ＨｅＮＢ）、リレー、リモートラジオヘッド（ＲＲＨ：Ｒｅｍｏｔｅ  Ｒａｄｉｏ  Ｈｅａｄ）など）を配備することに対する関心は、過去数年にわたって絶えず増加している。同時に、たとえば、異なるセルの間の際立った送信電力の相違によって引き起こされる干渉や、より一様なセルラー通信ネットワークのために開発された、既存のセル相互の提携技術によって引き起こされる干渉など、これらの低電力ノードから生じる新しい干渉問題に取り組むために、さらに進んだ干渉管理技術に対するニーズがある。
【０００４】
第３世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）では、ヘテロジニアスネットワーク配備は、異なる送信電力の低電力ノードがマクロセルレイアウトの全体にわたって配置される配備として規定されている。これはまた、不均一なトラフィック分布を意味している。ヘテロジニアスネットワーク配備は、たとえば、トラフィックホットスポットとしばしば呼ばれる特定の領域における収容能力の拡張に効果的である。トラフィックホットスポットは、より具体的には、パフォーマンスを拡張するために低電力ノードの設置を配備できる、高いユーザ密度および／または高いトラフィック強度を持つ小さい地理的領域である。また、ヘテロジニアスネットワーク配備は、ネットワークの密度を高めて、トラフィックニーズおよび環境に適応させる方法と見なすことができる。しかしながら、ヘテロジニアスネットワーク配備は、また、効率的なネットワーク運用および優れたユーザ体感を保証するために、セルラー通信ネットワークが準備されていなければならない新しい課題をもたらす。これらの課題の一部は、セルレンジエクスパンションとして知られている、低電力ノードに関連するスモールセルを拡大する試みにおいて増加した干渉に関係している。他の課題は、大規模なセルと小規模なセルの混合に起因するアップリンクにおける潜在的に高い干渉に関係する。
【０００５】
より具体的には、図１に示すように、３ＧＰＰによると、ヘテロジニアスのセルラー通信ネットワーク１０は、マクロセルレイアウトを形成する多数のマクロ（または高電力）基地局１２、およびマクロセルレイアウトの全体にわたって配置された多数の低電力基地局１４を含む。ロングタームエボリューション（ＬＴＥ）では、マクロ基地局１２は、進化型ノードＢ（ｅＮＢ：Ｅｖｏｌｖｅｄ  Ｎｏｄｅ  Ｂ）と呼ばれる。低電力基地局１４は、ピコ基地局（サービングピコセル）、フェムト基地局（サービングフェムトセル）、ＨｅＮＢなどと呼ばれることがある。ヘテロジニアスのセルラー通信ネットワーク１０など、ヘテロジニアスネットワーク配備のダウンリンク、アップリンク、またはダウンリンクとアップリンクの両方についての干渉特性は、ホモジニアス配備での干渉特性とは著しく異なる場合がある。
【０００６】
ヘテロジニアスのセルラー通信ネットワーク１０に存在する可能性がある新しい干渉シナリオの一部の例を図１に表し、干渉シナリオ（Ａ）、（Ｂ）、（Ｃ）、および（Ｄ）として示している。干渉シナリオ（Ａ）では、ユーザ機器（ＵＥ）１６は、マクロ基地局１２によってサービングされ、低電力基地局１４の１つによってサービングされる近くの限定加入者グループ（ＣＳＧ）セルにアクセスしない。その結果、ＣＳＧセルのための低電力基地局１４によるダウンリンク送信は、ＵＥ１６でダウンリンク干渉を生じさせる結果となる。干渉シナリオ（Ｂ）では、ＵＥ１８はマクロ基地局１２によってサービングされ、低電力基地局１４の１つによってサービングされる近くのＣＳＧセルにアクセスしない。その結果、ＵＥ１８によるアップリンク送信は、近くの低電力基地局１４に向けて深刻なアップリンク干渉を生じさせる結果となる。干渉シナリオ（Ｃ）では、低電力基地局１４の１つによってサービングされる第１のＣＳＧセルに接続されたＵＥ２０は、第２のＣＳＧセルにサービングする別の低電力基地局１４からダウンリンク干渉を受ける。最後に、干渉シナリオ（Ｄ）では、ＵＥ２２は、低電力基地局１４の１つのピコセルによってサービングされ、ピコセルの拡張されたセル範囲領域（つまり、セルレンジエクスパンション（ＣＲＥ：Ｃｅｌｌ  Ｒａｎｇｅ  Ｅｘｐａｎｓｉｏｎ）ゾーン）に位置する。この場合、ＵＥ２２は、マクロ基地局１２からより強いダウンリンク干渉を受ける。ＣＳＧは、上記の例の多くで使用されるが、ヘテロジニアスネットワーク配備は、必ずしもＣＳＧセルを含んでいないことに留意されたい。
【０００７】
別の難しい干渉シナリオが、セルレンジエクスパンションで発生する。セルレンジエクスパンションでは、たとえば、近接セルより低い送信電力を用いるセルについて採用された場合、従来のダウンリンクセルの割当て規則は、参照信号受信電力（ＲＳＲＰ：Ｒｅｆｅｒｅｎｃｅ  Ｓｉｇｎａｌ  Ｒｅｃｅｉｖｅｄ  Ｐｏｗｅｒ）に基づく手法とは異なって、たとえば、パスロスまたは経路獲得に基づく手法に向けられる。セルレンジエクスパンションについての考えをマクロ基地局２４およびピコ基地局２６を一般的に示す図２に示している。図示するように、ピコ基地局２６によってサービングされるピコセルのセルレンジエクスパンションは、デルタパラメータを使って実施される。セルの選択／再選択でデルタパラメータが使用される場合、ＵＥ２８は、潜在的に、より大きいピコセルのカバレッジ領域を認識することができる。近接セルのセルサイズのバランスがよくなると、アップリンクパフォーマンスが典型的には改善されるので、セルレンジエクスパンションは、ダウンリンクパフォーマンスによって制限される。
【０００８】
堅牢な制御チャネルのパフォーマンスに加えて、信頼性が高く、高いビットレートの送信を保証するために、セルラー通信ネットワークでは優れた信号品質を維持する必要がある。受信機によって受信された信号の信号品質は、信号に対する受信された信号強度、ならびに受信された信号強度と、受信機によって受信された全体的な干渉およびノイズとの関係によって決定される。ネットワーク運用を成功させるには、何よりもセル計画を含む、優れたネットワーク計画が前提条件である。しかしながら、ネットワーク計画は静的である。より効率的な無線リソース利用のために、干渉管理、ならびにより高度なアンテナ技術およびアルゴリズムを促進することも意図する、少なくとも半静的および動的な無線リソース管理メカニズムによって、ネットワーク計画を補完する必要がある。
【０００９】
干渉を処理する１つの方法は、たとえば、ＵＥに干渉除去メカニズムを実装することによって、たとえば、より高度な送受信装置技術を採用することである。前者に補足的になり得る別の方法は、セルラー通信ネットワークにおいて効率的な干渉協調アルゴリズムおよび送信方式を設計することである。協調は、静的、半静的、または動的な方法で実現することができる。静的または半静的な方式は、強く干渉する送信に対して直交する時間周波数リソース（たとえば帯域幅および／または時間のインスタンスの一部）を確保しておくことに依存してもよい。動的な協調は、たとえば、スケジューリングによって実施することができる。そのような干渉協調は、すべてまたは特定のチャネル（たとえばデータチャネルまたは制御チャネル）または信号に対して実施することができる。
【００１０】
具体的には、ヘテロジニアスネットワーク配備について、拡張されたセル間干渉協調（ｅＩＣＩＣ：ｅｎｈａｎｃｅｄ  Ｉｎｔｅｒ−Ｃｅｌｌ  Ｉｎｔｅｒｆｅｒｅｎｃｅ  Ｃｏｏｒｄｉｎａｔｉｏｎ）メカニズムは、干渉するセルの低干渉サブフレームにおいて、ＵＥが少なくとも一部の測定（たとえば、無線リソース管理（ＲＲＭ：Ｒａｄｉｏ  Ｒｅｓｏｕｒｃｅ  Ｍａｎａｇｅｍｅｎｔ）、無線リンク管理（ＲＬＭ：Ｒａｄｉｏ  Ｌｉｎｋ  Ｍａｎａｇｅｍｅｎｔ）、およびチャネル状態情報（ＣＳＩ：Ｃｈａｎｎｅｌ  Ｓｔａｔｅ  Ｉｎｆｏｒｍａｔｉｏｎ）測定）を実行することができるように、標準化されている。これらのメカニズムは、送信ノードで低干渉サブフレームのパターンを設定すること（およびそれによって干渉を減らすこと）と、ＵＥに対する測定パターンを設定すること（およびそれによってＵＥに低干渉測定の機会を示すこと）を含む。
【００１１】
ダウンリンクにおいて、限定された測定を可能にするために、２タイプのパターンがＬＴＥリリース１０でｅＩＣＩＣについて規定されている。すなわち、（１）ネットワークノードによって設定され、ＵＥに通知される限定された測定パターン、および（２）無線ノードの送信活動を記述し、無線ノード間で交換できる、ネットワークノードによって設定される、（オールモーストブランクサブフレーム（ＡＢＳ：Ａｌｍｏｓｔ  Ｂｌａｎｋ  Ｓｕｂｆｒａｍｅ）パターンとして知られている）送信パターンである。
【００１２】
ダウンリンクについての限定された測定パターンに関して、ＲＲＭ（たとえば、ＲＳＲＰ／参照信号受信品質（ＲＳＲＱ：Ｒｅｆｅｒｅｎｃｅ  Ｓｉｇｎａｌ  Ｒｅｃｅｉｖｅｄ  Ｑｕａｌｉｔｙ））、ＲＬＭ、ＣＳＩだけでなく、復調に対するダウンリンクの限定された測定は、３ＧＰＰ技術仕様書（ＴＳ）３６．３３１  Ｖ１０．１．０に規定されたように、ＵＥへの次のパターンセットの無線リソース制御（ＲＲＣ）のＵＥ固有のシグナリングによって可能になる。
−パターン１：サービングセルに対する単一のＲＲＭ／ＲＬＭ測定リソース制限、
−パターン２：周波数ごとに近接セル（３２セルまで）に対する１つのＲＲＭ測定リソース制限（現在、サービング周波数についてのみ）、
−パターン３：ＵＥごとに設定された２つのサブフレームサブセットを用いる、サービングセルのＣＳＩ測定のためのリソース制限。
１つのパターンは、長さおよび周期性で特徴付けられる限定的および非限定的なサブフレームを示すビット列であり、周波数分割複信（ＦＤＤ）および時分割複信（ＴＤＤ）では異なる（ＦＤＤには４０サブフレーム、およびＴＤＤには２０、６０、または７０サブフレーム）。限定された測定サブフレームは、ＵＥが、改善された干渉条件でサブフレームの測定を実行することを可能にするように設定され、適切な基地局でＡＢＳパターンを設定することによって実施することができる。
【００１３】
ＲＲＭ／ＲＬＭに加えて、パターン１は、また、低干渉のサブフレームを設定することによって、強い干渉を減らすことができる場合に、測定パフォーマンスを改善するために、低干渉の条件において、ＵＥ受信（Ｒｘ）−送信（Ｔｘ）測定、または原則的に、任意のセル固有参照信号（ＣＲＳ）に基づく測定を可能にするために使用することができる。パターン３は、典型的には、チャネル品質レポートを拡張し、チャネル復調および復号のパフォーマンスを改善するために使用されるであろう（たとえば、物理ダウンリンク共有チャネル（ＰＤＳＣＨ）などのデータチャネル、および／または物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）、物理制御フォーマットインジケータチャネル（ＰＣＦＩＣＨ：Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、および物理ハイブリッド自動再送要求（ＨＡＲＱ）インジケータチャネル（ＰＨＩＣＨ：Ｐｈｙｓｉｃａｌ  Ｈｙｂｒｉｄ  Ａｕｔｏｍａｔｉｃ  Ｒｅｐｅａｔ  Ｒｅｑｕｅｓｔ  Ｉｎｄｉｃａｔｏｒ  Ｃｈａｎｎｅｌ）などの制御チャネルのチャネル復調および復号のパフォーマンス）。パターン１およびパターン２は、また、強い干渉を減らすか回避することができる場合、（たとえば、低干渉のサブフレームを設定して干渉データ送信を抑制することによって、そのデータ送信から共通チャネル／信号が干渉されないことを保障するために、時間シフトが適用される場合）、共通の信号（たとえば、プライマリ同期信号（ＰＳＳ：Ｐｒｉｍａｒｙ  Ｓｙｎｃｈｒｏｎｉｚａｔｉｏｎ  Ｓｉｇｎａｌ）／セカンダリ同期信号（ＳＳＳ：Ｓｅｃｏｎｄａｒｙ  Ｓｙｎｃｈｒｏｎｉｚａｔｉｏｎ  Ｓｉｇｎａｌ））、共通のチャネル、およびブロードキャスト／マルチキャストチャネル（たとえば物理ブロードキャストチャネル（ＰＢＣＨ：Ｐｈｙｓｉｃａｌ  Ｂｒｏａｄｃａｓｔ  Ｃｈａｎｎｅｌ））に対して低干渉の条件を可能にするために使用することができる。
【００１４】
ＡＢＳパターンは、基地局がその送信を限定する（たとえば、送信をスケジューリングしないか、またはより低い電力で送信する）サブフレームを示す。限定された送信のサブフレームは、ＡＢＳサブフレームと呼ばれる。現在のＬＴＥ標準では、基地局は、ＡＢＳサブフレームのデータ送信を抑制することができるが、ＡＢＳサブフレームは完全にブランクになり得ない。つまり制御チャネルおよび物理的な信号の少なくとも一部は、まだ送信される。データが送信されないときでもＡＢＳサブフレームで送信される制御チャネルの例は、ＰＢＣＨおよびＰＨＩＣＨである。サブフレームがＡＢＳかどうかにかかわらず、送信する必要がある物理的な信号の例は、ＣＲＳおよび同期信号（ＰＳＳおよびＳＳＳ）である。位置決定参照信号（ＰＲＳ：Ｐｏｓｉｔｉｏｎｉｎｇ  Ｒｅｆｅｒｅｎｃｅ  Ｓｉｇｎａｌ）もＡＢＳサブフレームで送信することができる。マルチキャストブロードキャスト単一周波数ネットワーク（ＭＢＳＦＮ）サブフレームがＡＢＳサブフレームと一致する場合、このサブフレームは、また、３ＧＰＰ  ＴＳ３６．４２３に規定されるように、ＡＢＳサブフレームとして考えられる。ＣＲＳは、第１のシンボルを除いて、ＭＢＳＦＮサブフレームでは送信されないので、測定されるセルのデータ領域へのアグレッサセル（ａｇｇｒｅｓｓｏｒ  ｃｅｌｌ）からのＣＲＳ干渉を回避することが可能になる。ＡＢＳパターンは、基地局間で交換することができる（たとえば、ＬＴＥではＸ２通信と呼ばれる、基地局から基地局への通信を介して）。しかしながら、ＬＴＥでは、ＡＢＳパターンは、ＵＥに通知されない。
【００１５】
ＬＴＥリリース１１では、エンハンスト受信機（たとえば干渉を処理する技術を実行できる受信機）のために、強く干渉するセル（アグレッサセルとして知られている）に関する情報が提供され、そのセルにおいて送信によって生成される強い干渉の処理を促進することができるようになっている。より具体的には、干渉セルに関する次の情報をＵＥに提供することができる。すなわち物理セル識別（ＰＣＩ：Ｐｈｙｓｉｃａｌ  Ｃｅｌｌ  Ｉｄｅｎｔｉｆｙ）、ＣＲＳアンテナポートの数、およびＭＢＳＦＮサブフレーム設定である。具体的には、ＬＴＥリリース１１は、干渉（またはアグレッサ）セルについてＵＥに提供できる情報を以下のように規定している。
【００１６】
2016504800.tif 000003
【００１７】
ユニバーサルモバイルテレコミュニケーションシステム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の高速ダウンリンクパケットアクセス（ＨＳＤＰＡ：Ｈｉｇｈ  Ｓｐｅｅｄ  Ｄｏｗｎｌｉｎｋ  Ｐａｃｋｅｔ  Ａｃｃｅｓｓ）では、複数の干渉認識受信機（ｉｎｔｅｒｆｅｒｅｎｃｅ  ａｗａｒｅ  ｒｅｃｅｉｖｅｒ）がＵＥについて規定されている。これらの干渉認識受信機は、ベースライン受信機（レーキ受信機）とは対照的に「エンハンスト受信機（ｅｎｈａｎｃｅｄ  ｒｅｃｅｉｖｅｒｓ）」と呼ばれる。ＵＭＴＳのエンハンスト受信機は、エンハンスト受信機タイプ１（２ブランチ受信機ダイバーシティを使用する）、エンハンスト受信機タイプ２（単一ブランチイコライザを使用する）、エンハンスト受信機タイプ３（２ブランチ受信機ダイバーシティおよびイコライザを使用する）、およびエンハンスト受信機タイプ３ｉ（２ブランチ受信機ダイバーシティおよびセル間干渉除去機能を使用する）と呼ばれる。エンハンスト受信機は、たとえばスループットおよび／またはカバレッジに関して、パフォーマンスを改善するために使用することができる。
【００１８】
ＬＴＥリリース１０では、ＵＥに時間領域の測定制限情報を提供しながら、たとえばＣＲＥゾーンにおいて、潜在的に高い干渉を緩和するために、拡張された干渉協調技術が開発された。さらに、ＬＴＥリリース１１では、複数の共分散推定技術を用いる最小平均二乗誤差−干渉抑圧合成（ＭＭＳＥ−ＩＲＣ：Ｍｉｎｉｍｕｍ  Ｍｅａｎ  Ｓｑｕａｒｅ  Ｅｒｒｏｒ−Ｉｎｔｅｒｆｅｒｅｎｃｅ  Ｒｅｊｅｃｔｉｏｎ  Ｃｏｍｂｉｎｉｎｇ）に基づくアドバンスト受信機（ａｄｖａｎｃｅｄ  ｒｅｃｅｉｖｅｒ）、および干渉除去可能な受信機が、現在検討されている。将来的には、システムパフォーマンスをさらに拡張するために、非線形除去型の干渉除去を実行できる、最小平均二乗誤差−逐次干渉除去（ＭＭＳＥ−ＳＩＣ：Ｍｉｎｉｍｕｍ  Ｍｅａｎ  Ｓｑｕａｒｅ  Ｅｒｒｏｒ−Ｓｕｃｃｅｓｓｉｖｅ  Ｉｎｔｅｒｆｅｒｅｎｃｅ  Ｃａｎｃｅｌｌａｔｉｏｎ）に基づくアドバンスト受信機など、より複雑で高度な受信機を使用することができる。
【００１９】
そのようなエンハンスト受信機技術またはアドバンスト受信機技術は、一般的に、無線ノードまたはデバイスによって送信された無線信号またはチャネルについて測定を実行するときに、１つまたは複数の信号の比較的高い干渉が経験されるすべての配備に役立つ可能性があるが、ヘテロジニアスネットワーク配備で特に役立つ。しかしながら、これらの技術では複雑さが増す。たとえば、より大きい処理能力および／またはより多くのメモリが必要な場合がある。これらの要因のために、エンハンスト受信機またはアドバンスト受信機を装備したＵＥは、単に特定の信号またはチャネルのみで受信機の干渉を処理する技術（つまり干渉を緩和する機能）を使用することができる。たとえば、あるＵＥは、データチャネルのみで干渉緩和または除去の技術を適用することができる。他の例では、より高度なＵＥは、１つまたは２つの共通の制御信号だけでなく、データチャネルに干渉緩和を適用することができる。共通の制御信号の例として、参照信号、同期信号などが挙げられる。
【００２０】
用語「エンハンスト受信機」および「アドバンス受信機」は、本明細書で区別なく使用されることに留意されたい。さらに、エンハンスト（またはアドバンス）受信機は、また、本明細書では、干渉緩和受信機、干渉除去受信機、干渉抑制受信機、干渉抑圧受信機、干渉認識受信機、干渉回避受信機、などと呼ぶことができる。一般的に、エンハンスト（またはアドバンス）受信機は、少なくとも１つの干渉源から発生する干渉を完全または部分的に排除するために、１つまたは複数の干渉を処理する技術を実行することによって、パフォーマンスを改善できる受信機である。干渉は、一般的に、干渉源からの最も強い干渉信号であり、最も強い干渉信号は、一般的に、隣接セルからの干渉信号である。さらに、エンハンスト（またはアドバンスト）受信機によって実行される干渉を処理する技術は、たとえば、干渉除去、干渉抑制、パンクチャリング（ｐｕｎｃｔｕｒｉｎｇ）もしく干渉抑圧の組合せなど、またはそれらの組合せを含むことができる。以下において、用語「エンハンスト受信機」は、エンハンスト（またはアドバンスト）受信機のすべての変形を表すために利用される。
【００２１】
受信された信号の品質を測定するために、ＬＴＥは、以下のＵＥ電力に基づく測定を標準化した。
−受信された信号強度（つまりＲＳＲＰ）および品質（つまりＲＳＲＱ）、
−無線アクセス技術（ＲＡＴ）間のユニバーサル地上無線アクセス（ＵＴＲＡ）で受信された信号強度および品質、
−ＲＡＴ間のグローバルシステムフォーモバイルコミュニケーションズ（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎｓ）で受信された信号強度、および
−ＲＡＴ間の符号分割多元接続（ＣＤＭＡ：Ｃｏｄｅ  Ｄｉｖｉｓｉｏｎ  Ｍｕｌｔｉｐｌｅ  Ａｃｃｅｓｓ）２０００で受信された信号強度。
これらの測定については、以下により詳細に記述する。ＲＳＲＱ測定の定義は、アグレッサの高い干渉があるシナリオに合わせてさらに修正された。これは、測定のために指定されたサブフレームでの干渉条件をよりよく反映するためである（つまり、測定リソース限定パターンが設定されるようにｅＩＣＩＣが使用される場合）。現在のＬＴＥでは、ＵＥによって推定された干渉（たとえばＲＳＳＩ）は、ネットワークに通知されない。しかしながら、ＲＳＲＱおよびＲＳＲＰが同じ時間区間で推定された場合、ＲＳＳＩは、報告されたＲＳＲＱおよびＲＳＲＰの測定から導き出すことができる。
【００２２】
上に記述した測定は、モビリティの目的または自己最適化ネットワーク（ＳＯＮ）で典型的に使用されるが、測定は、さらにまたはあるいは、たとえば、運転テストの最小化（ＭＤＴ：Ｍｉｎｉｍｉｚａｔｉｏｎ  ｏｆ  Ｄｒｉｖｅ  Ｔｅｓｔｓ）、ポジショニング、セル間干渉協調、電力制御など、他の目的に使用することができる。また、受信された干渉条件を反映する他の品質測定もある。以下に例を挙げる。
−３ＧＰＰ  ＴＳ３６．１３３に規定されるようなＲＬＭに使用される品質測定。この品質測定のため、ＵＥは、サービングセルまたはプライマリセル（ＰＣｅｌｌ）のダウンリンク無線リンク品質を検出するために、セル固有参照信号または他の参照信号に基づいてダウンリンクリンク品質を監視する。ここでのＲＬＭ目的のためのダウンリンクリンク品質測定は、測定された信号および全体的な受信された干渉の信号強度に基づいている。
−信号対干渉雑音比（ＳＩＮＲ）および／または信号対雑音比（ＳＮＲ）。および
−ポジショニングサブフレームまたは低干渉サブフレームにおける信号品質測定。これらは、たとえば、２０１０年２月１２日に出願され２０１１年８月１８日に公開されたＰＣＴ特許出願公開第ＷＯ２０１１／０９７７６０号「ＳＩＧＮＡＬ  ＭＥＡＳＵＲＥＭＥＮＴＳ  ＦＯＲ  ＰＯＳＩＴＩＯＮＩＮＧ，  ＳＩＧＮＡＬＬＩＮＧ  ＭＥＡＮＳ  ＦＯＲ  ＴＨＥＩＲ  ＳＵＰＰＯＲＴ  ＡＮＤ  ＭＥＴＨＯＤＳ  ＯＦ  ＵＴＩＬＩＺＩＮＧ  ＴＨＥ  ＭＥＡＳＵＲＥＭＥＮＴＳ  ＴＯ  ＥＮＨＡＮＣＥ  ＰＯＳＩＴＩＯＮＩＮＧ  ＱＵＡＬＩＴＹ  ＩＮ  ＬＴＥ」、および２０１０年１０月６日に出願され２０１１年８月１８日に公開されたＰＣＴ特許出願公開第ＷＯ２０１１／０９９９１０号「ＭＥＴＨＯＤＳ  ＡＮＤ  ＡＲＲＡＮＧＥＭＥＮＴＳ  ＦＯＲ  ＰＥＲＦＯＲＭＩＮＧ  ＭＥＡＳＵＲＥＭＥＮＴＳ  ＩＮ  Ａ  ＷＩＲＥＬＥＳＳ  ＣＯＭＭＵＮＩＣＡＴＩＯＮ  ＮＥＴＷＯＲＫ  ＦＯＲ  ＰＯＳＩＴＩＯＮＩＮＧ  ＯＲ  ＦＯＲ  ＥＮＡＢＬＩＮＧ  ＬＯＣＡＴＩＯＮ−ＢＡＳＥＤ  ＳＥＲＶＩＣＥＳ」に記述されており、ポジショニングサブフレームまたは低い干渉のサブフレームにおける信号品質測定に関するこれらの出願の教示は、ここで参照したことにより、本出願の一部をなす。
【００２３】
ｅＩＣＩＣを用いない測定に関して、ＲＳＲＰおよびＲＳＲＱは、それぞれ信号の電力および品質の２つのＲＡＴ内測定値である。ＬＴＥでは、ＲＳＲＰは、考慮されている測定周波数帯域幅内でのセル固有参照信号を運ぶリソースエレメントの電力の貢献（ワット単位）全体の線形平均として規定されている。３ＧＰＰ  ＴＳ３６．２１１によれば、セル固有参照信号Ｒ０は、ＲＳＲＰの測定に使用される。Ｒ１が使用可能であることをＵＥが確実に検出できる場合、ＵＥは、ＲＳＲＰを決定するためにＲ０に加えてＲ１を使用してもよい。ＲＳＲＰ測定の基準点は、ＵＥのアンテナコネクタである。受信機のダイバーシティがＵＥによって使用されている場合、報告されるＲＳＲＰ値は、個々のダイバーシティブランチのいずれのるＲＳＲＰよりも低くてはならない。ＲＳＲＰ測定は、ＲＲＣ＿ＩＤＬＥ周波数内、ＲＲＣ＿ＩＤＬＥ周波数間、ＲＲＣ＿ＣＯＮＮＥＣＴＥＤ周波数内、およびＲＲＣ＿ＣＯＮＮＥＣＴＥＤ周波数間で適用可能である。したがって、ＵＥは、これらすべてのＲＲＣ状態および測定シナリオで、ＲＳＲＰを使用できるべきである。
【００２４】
ＬＴＥでは、ＲＳＲＱは、Ｎ×ＲＳＲＰ／（進化型ユニバーサル地上無線アクセス（Ｅ−ＵＴＲＡ）キャリアのＲＳＳＩ）という比として規定されている。ここで、Ｎは、Ｅ−ＵＴＲＡキャリアの受信信号強度インジケータ（ＲＳＳＩ：Ｒｅｃｅｉｖｅｄ  Ｓｉｇｎａｌ  Ｓｔｒｅｎｇｔｈ  Ｉｎｄｉｃａｔｏｒ）測定帯域幅のリソースブロックの数である。分子および分母の測定は、リソースブロックの同じ組に対して行われる。Ｅ−ＵＴＲＡキャリアＲＳＳＩは、すべての源からＵＥによって受信された、リソースブロックの数Ｎ全体にわたる測定帯域幅内のアンテナポート０のための参照シンボルを含む直交周波数分割多重（ＯＦＤＭ）シンボルでのみ観察された、合計受信電力（ワット単位）の線形平均である。すべての源は、同一チャネルのサービングセルおよび非サービングセル、隣接チャネル干渉、熱雑音などを含む。ＲＳＲＱ測定の基準点は、ＵＥのアンテナコネクタである。受信機ダイバーシティがＵＥによって使用されている場合、報告されるＲＳＲＰ値は、個々のダイバーシティブランチのいずれのＲＳＲＱよりも低くてはならない。ＲＳＲＰ測定は、ＲＲＣ＿ＩＤＬＥ周波数内、ＲＲＣ＿ＩＤＬＥ周波数間、ＲＲＣ＿ＣＯＮＮＥＣＴＥＤ周波数内、およびＲＲＣ＿ＣＯＮＮＥＣＴＥＤ周波数間に適用可能である。したがって、ＵＥは、これらすべてのＲＲＣ状態および測定シナリオでＲＳＲＰを使用できるべきである。
【００２５】
ＲＳＲＰおよびＲＳＲＱは、ｅＩＣＩＣを用いない２つのＲＡＴ内測定値であるが、ＵＴＲＡ  ＦＤＤの共通パイロットチャネル（ＣＰＩＣＨ）の受信信号コード電力（ＲＳＣＰ）、ＵＴＲＡ  ＦＤＤのセカンダリパイロットチャネル（ＳＰＩＣＨ）のチップ当たりのエネルギー／ノイズスペクトル密度（Ｅｃ／Ｎｏ）、ＧＳＭキャリアのＲＳＳＩ、ＵＴＲＡ  ＴＤＤのプライマリ共通制御物理チャネル（Ｐ−ＣＣＰＣＨ：Ｐｒｉｍａｒｙ  Ｃｏｍｍｏｎ  Ｃｏｎｔｒｏｌ  Ｐｈｙｓｉｃａｌ  Ｃｈａｎｎｅｌ）のＲＳＣＰ、ＣＤＭＡ２０００  １ｘのラウンドトリップ時間（ＲＴＴ）パイロット強度、およびＣＤＭＡ２０００の高速パケットデータ（ＨＲＰＤ）のパイロット強度は、ｅＩＣＩＣを用いないＲＡＴ間測定値である。より具体的には、ＵＴＲＡ  ＦＤＤのＣＰＩＣＨのＲＳＣＰは、プライマリＣＰＩＣＨについて測定された１つのコードの受信電力である。ＲＳＣＰの基準点は、ＵＥのアンテナコネクタである。プライマリＣＰＩＣＨでＴｘダイバーシティが適用されると、各アンテナからの受信されたコード電力は別々に測定され、プライマリＣＰＩＣＨについての合計の受信されたコード電力へとワット単位で合計される。受信機ダイバーシティがＵＥによって使用されている場合、報告される値は、個々の受信アンテナブランチのいずれのＣＰＩＣＨ  ＲＳＣＰよりも低くてはならない。ＵＴＲＡ  ＦＤＤのＣＰＩＣＨのＲＳＣＰ測定は、ＲＲＣ＿ＩＤＬＥ  ＲＡＴ間およびＲＲＣ＿ＣＯＮＮＥＣＴＥＤ  ＲＡＴ間で適用可能である。したがって、ＵＥは、これらすべてのＲＲＣ状態および測定シナリオで、ＵＴＲＡ  ＦＤＤのＣＰＩＣＨのＲＳＣＰを使用できるべきである。
【００２６】
ＵＴＲＡ  ＦＤＤのＣＰＩＣＨのＥｃ／Ｎｏは、帯域において電力密度で割られたチップごとの受信されたエネルギーである。受信機ダイバーシティがＵＥによって使用されていない場合、ＣＰＩＣＨのＥｃ／Ｎｏは、ＣＰＩＣＨのＲＳＣＰ／ＵＴＲＡキャリアＲＳＳＩと同一である。プライマリＣＰＩＣＨについて測定が実行される。ＣＰＩＣＨのＥｃ／Ｎｏの基準点は、ＵＥのアンテナコネクタである。ＴｘダイバーシティがプライマリＣＰＩＣＨで適用される場合、Ｅｃ／Ｎｏを計算する前に、各アンテナからのチップごとの受信されたエネルギー（Ｅｃ）が別々に測定され、プライマリＣＰＩＣＨについてチップごとの合計の受信されたチップエネルギーへとワット単位で合計される。受信機ダイバーシティがＵＥによって使用されている場合、測定されたＣＰＩＣＨのＥｃ／Ｎｏ値は、受信アンテナブランチｉのＣＰＩＣＨのＲＳＣＰｉ／ＵＴＲＡキャリアＲＳＳＩｉよりも低くてはならない。ＵＴＲＡ  ＦＤＤのＣＰＩＣＨのＥｃ／Ｎｏの測定は、ＲＲＣ＿ＩＤＬＥ  ＲＡＴ間およびＲＲＣ＿ＣＯＮＮＥＣＴＥＤ  ＲＡＴ間で適用可能である。したがって、ＵＥは、これらすべてのＲＲＣ状態および測定のシナリオで、ＵＴＲＡ  ＦＤＤのＣＰＩＣＨのＥｃ／Ｎｏを使用できるべきである。
【００２７】
ＧＳＭキャリアＲＳＳＩは、関連するチャネル帯域幅内の広帯域受信電力に対するＲＳＳＩである。測定は、ＧＳＭブロードキャスト制御チャネル（ＢＣＣＨ：Ｂｒｏａｄｃａｓｔ  Ｃｏｎｔｒｏｌ  Ｃｈａｎｎｅｌ）キャリアについて実行される。ＲＳＳＩの基準点は、ＵＥのアンテナコネクタである。ＧＳＭキャリアのＲＳＳＩ測定は、ＲＲＣ＿ＩＤＬＥ  ＲＡＴ間およびＲＲＣ＿ＣＯＮＮＥＣＴＥＤ  ＲＡＴ間で適用可能である。したがって、ＵＥは、これらすべてのＲＲＣ状態および測定のシナリオでＧＳＭキャリアのＲＳＳＩを使用できるべきである。
【００２８】
ＵＴＲＡ  ＴＤＤのＰ−ＣＣＰＣＨのＲＳＣＰは、近隣のＵＴＲＡ  ＴＤＤセルのＰ−ＣＣＰＣＨの受信電力として規定されている。ＲＳＣＰの基準点は、ＵＥのアンテナコネクタである。ＵＴＲＡ  ＴＤＤのＰ−ＣＣＰＣＨのＲＳＣＰの測定は、ＲＲＣ＿ＩＤＬＥ  ＲＡＴ間およびＲＲＣ＿ＣＯＮＮＥＣＴＥＤ  ＲＡＴ間に適用可能である。したがって、ＵＥは、これらすべてのＲＲＣ状態および測定のシナリオで、ＵＴＲＡ  ＴＤＤ  Ｐ−ＣＣＰＣＨ  ＲＳＣＰを使用できるべきである。
【００２９】
ＣＤＭＡ２０００  １ｘのＲＴＴパイロット強度は、３ＧＰＰ  ＴＳ３６．２１４のセクション５．１．１０に規定されている。ＣＤＭＡ２０００のＨＲＰＤパイロット強度は、３ＧＰＰ  ＴＳ３６．２１４のセクション５．１．１１に規定されている。ＣＤＭＡ２０００  １ｘのＲＴＴパイロット強度およびＣＤＭＡ２０００のＨＲＰＤパイロット強度の測定は、ＲＲＣ＿ＩＤＬＥ  ＲＡＴ間およびＲＲＣ＿ＣＯＮＮＥＣＴＥＤ  ＲＡＴ間に適用可能である。したがって、ＵＥは、これらすべてのＲＲＣ状態および測定のシナリオで、ＣＤＭＡ２０００  １ｘのＲＴＴパイロット強度およびＣＤＭＡ２０００のＨＲＰＤパイロット強度を使用できるべきである。
【００３０】
上記の測定は、ｅＩＣＩＣなしで行われる。以下の測定は、ｅＩＣＩＣを用いて行われる。現在のＬＴＥ標準では、ｅＩＣＩＣを用いないＲＳＳＩ測定とは異なり、ｅＩＣＩＣを用いるＲＳＳＩ測定は、サブフレームのすべてのシンボルにわたって平均される。具体的には、ｅＩＣＩＣを用いて、ＲＳＲＰは、Ｎ×ＲＳＲＰ／（Ｅ−ＵＴＲＡキャリアＲＳＳＩ）という比として規定される。ここでＮは、Ｅ−ＵＴＲＡキャリアのＲＳＳＩ測定帯域幅のリソースブロックの数である。分子および分母の測定は、リソースブロックの同じ組に対して行われる。Ｅ−ＵＴＲＡキャリアＲＳＳＩは、すべての源からＵＥによって受信された、リソースブロックの数Ｎ全体にわたる測定帯域幅内のアンテナポート０のための参照シンボルを含むＯＦＤＭシンボルでのみ観察された、合計受信電力（ワット単位）の線形平均である。すべての源は、同一チャネルのサービングセルおよび非サービングセル、隣接チャネル干渉、熱雑音などを含む。ｅＩＣＩＣに関して、上位レイヤシグナリングがＲＳＲＱ測定を実行するための特定のサブフレームを示す場合、ＲＳＳＩは、示されたサブフレームですべてのＯＦＤＭシンボルに対して測定される。ＲＳＲＱの基準点は、ＵＥのアンテナコネクタである。受信機のダイバーシティがＵＥによって使用されている場合、報告される値は、個々のダイバーシティブランチのいずれのＲＳＲＱよりも低くてはならない。
【００３１】
広帯域ＲＳＲＱ（広帯域幅ＲＳＲＱとも呼ぶ）は、上に説明したＲＳＲＱに似ている。ただし、前者（広帯域ＲＳＲＱ）は、６つのリソースブロックより大きい測定帯域幅にわたって測定されるという点が異なる、これは、広帯域ＲＳＲＱは、６つのリソースブロックより大きい測定帯域幅に対応する要件を満たさなければならないことを意味する。たとえば、特定の配備シナリオで実行されるなど、ネットワークによって明示的に示された場合、広帯域ＲＳＲＱは、ＵＥによって実行される。
【００３２】
上に記述した測定は、一般的に、モビリティの目的に使用される。他の測定は、モビリティ以外の目的のために規定されている。一部の例は、ＲＬＭに関係する測定、ＣＳＩ測定、一般的に信号品質に関係する測定、および干渉測定である。ＲＬＭに関係する測定に関して、ＵＥは、また、サービングセルのパフォーマンスを監視するために、サービングセル（またはプライマリセル）で測定を実行する。これらの測定のパフォーマンスはＲＬＭと呼ばれ、測定は、本明細書においてＲＬＭ関係の測定と呼ばれる。
【００３３】
ＲＬＭのために、ＵＥは、サービングセルまたはプライマリセルのダウンリンク無線リンク品質を検出するために、セル固有参照信号に基づいてダウンリンクのリンク品質を監視する。また、一般的にダウンリンクリンク品質は、たとえば、復調用参照信号（ＤＭＲＳ：Ｄｅｍｏｄｕｌａｔｉｏｎ  Ｒｅｆｅｒｅｎｃｅ  Ｓｉｇｎａｌ）、チャネル状態情報参照信号（ＣＳＩ−ＲＳ：Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ）など、他のタイプの参照信号でも監視することができる。ＲＬＭ目的のためのダウンリンクリンク品質測定は、セル固有参照信号（または測定に使用される他の信号）および全体的な受信された干渉の信号強度に基づいている。したがって、ＲＬＭ測定は、また、品質測定と見なされる。
【００３４】
同期外（ｏｕｔ  ｏｆ  ｓｙｎｃ）と同期中（ｉｎ  ｓｙｎｃ）の状態を検出するために、ＵＥは、推定された品質を規定されたしきい値ＱｏｕｔおよびＱｉｎとそれぞれ比較する。しきい値ＱｏｕｔおよびＱｉｎは、ダウンリンク無線リンクが確実に受信できない（Ｑｏｕｔ）、受信できる（Ｑｉｎ）レベルとして規定され、それぞれ仮定的なＰＤＣＣＨ送信の１０％および２％のブロック誤り率に対応する。非間欠受信（非ＤＲＸ）では、同期外および同期中のダウンリンクリンク品質は、２００ミリ秒（ｍｓ）および１００ｍｓの評価期間の間にそれぞれ推定される。ＤＲＸでは、同期外および同期中のダウンリンクリンク品質は、同じ評価期間の間に推定される。評価期間は、たとえば、１０ｍｓより大きく４０ｍｓまでのＤＲＸサイクルに対して２０ＤＲＸサイクルに等しい期間など、ＤＲＸサイクルに合わせて調整される。非ＤＲＸでは、同期外および同期中の状態は、無線フレームごとにＵＥによって評価される。ＤＲＸでは、同期外および同期中の状態は、ＤＲＸごとに１度、ＵＥによって評価される。
【００３５】
物理レイヤでのフィルタリング（たとえば評価期間）に加えて、ＵＥは、また、ネットワーク設定されたパラメータに基づいて上位レイヤフィルタリングを適用する。これにより、無線リンク障害検出の信頼性が向上し、したがって、不必要な無線リンク障害および結果的なＲＲＣの再確立を回避する。無線リンク障害および回復検出のための上位レイヤフィルタリングは、一般的に、以下のネットワーク制御されたパラメータを含むであろう。
−ヒステリシスカウンタ。たとえば、Ν３１０およびＮ３１１、それぞれ同期外および同期中のカウンタ、および
−タイマー。たとえば、Ｔ３１０無線リンク障害（ＲＬＥ：Ｒａｄｉｏ  Ｌｉｎｋ  Ｆａｉｌｕｒｅ）タイマー。
たとえば、Ｎ３１０の連続的な同期外（ＯＯＳ）検出の後、ＵＥはタイマーＴ３１０を始動する。Ｎ３１１の連続的な同期中（ＩＳ）検出の後、ＵＥはタイマーＴ３１０を停止する。ＵＥの送信機の電源は、タイマーＴ３１０が満了した後、４０ｍｓ以内に切られる。タイマーＴ３１０が満了すると、ＵＥはタイマーＴ３１１を始動する。タイマーＴ３１１が満了すると、ＵＥは、新しい最も強いセルを再選択するＲＲＣ再確立段階を開始する。高速パケットアクセス（ＨＳＰＡ：Ｈｉｇｈ  Ｓｐｅｅｄ  Ｐａｃｋｅｔ  Ａｃｃｅｓｓ）では、ＯＯＳおよびＩＳ検出と呼ばれる同様の概念がＵＥによって実行される。上位レイヤフィルタリングパラメータ（つまりヒステリシスカウンタおよびタイマー）もＨＳＰＡで使用される。また、ＨＳＰＡでは、ＲＬＦの再確立手順および最終的なＲＲＣの再確立手順も規定されている。
【００３６】
ＬＴＥでは、ＣＳＩ測定は、ＵＥによって実行および報告される。ＣＳＩ測定は、たとえば、スケジューリング、リンクアダプテーション、アンテナ送信モードの選択などのプロセスを促進するために規定される。ＣＳＩ測定は、典型的には、すべてのサブフレームでダウンリンク送信されるＣＲＳについて実行される。ネットワークは、ＵＥから定期的なＣＳＩレポートと不定期なＣＳＩレポートの両方を要求することができる。ＬＴＥリリース８／９では、定期的なレポートと不定期なレポートの両方は、ＣＲＳに基づいている。ＬＴＥリリース１０では、ＣＳＩレポートは、また、送信モード９に使用されるＣＳＩ−ＲＳに基づいていてもよい。ＬＴＥには、下記の３タイプの主なＣＳＩレポートがある。
−ランクインジケータ（ＲＩ）：ＲＩは、ダウンリンク送信で、どれだけのレイヤを使用する必要があるかに関する基地局に対する推奨である。ＲＩは、推奨されたランクが帯域幅全体で有効であることを意味する唯一の値である。
−プリコーダマトリックスインジケータ（ＰＭＩ：Ｐｒｅｃｏｄｅｒ  Ｍａｔｒｉｘ  Ｉｎｄｉｃａｔｏｒ）：ＰＭＩは、ダウンリンク送信で使用する必要がある推奨されるプリコーダマトリックスを示す。推奨されるプリコーダマトリックスは、周波数選択的であってもよい。
−チャネル品質インジケータ（ＣＱＩ：Ｃｈａｎｎｅｌ  Ｑｕａｌｉｔｙ  Ｉｎｄｉｃａｔｏｒ）：ＣＱＩは、ダウンリンク送信に使用できる最も高い変調およびコーディングを示している。ＣＱＩは、周波数選択的である。つまり、帯域幅の異なる部分についての複数のＣＱＩレポートを送信できることを意味する。しかしながら、このインジケータは、信号品質のメトリック（たとえばＲＳＲＱ）を明示的に含んでいない。
【００３７】
一般的に信号品質に関して、ＵＥは、様々な物理チャネルの品質、チャネル推定などを監視するなどの様々な目的のために、ＳＮＲ、ＳＩＮＲなどの信号品質を推定することができる。また、これらの測定値は干渉成分にも基づいているので、これらの測定値は品質測定値である。
【００３８】
干渉測定に関して、ＬＴＥでは現在、ＵＥによって推定される干渉（たとえばＲＳＳＩ）は、ネットワークに通知されない。しかしながら、ＲＳＲＱおよびＲＳＲＰが同じ時間区間で推定された場合、干渉は、報告されたＲＳＲＱおよびＲＳＲＰの測定から導き出すことができる。
【００３９】
ある技術内においてピーク速度を改善するために、マルチキャリアまたはキャリアアグリゲーションというソリューションが知られている。マルチキャリアまたはキャリアアグリゲーションシステムの各キャリアは、一般的に、コンポーネントキャリア（ＣＣ：Ｃｏｍｐｏｎｅｎｔ  Ｃａｒｒｉｅｒ）と名付けられているか、またはときにはセルと呼ばれる。簡素な言葉では、ＣＣは、マルチキャリアシステムにおける個々のキャリアを意味する。キャリアアグリゲーション（ＣＡ：Ｃａｒｒｉｅｒ  Ａｇｇｒｅｇａｔｉｏｎ）という用語は、また、「マルチキャリアシステム」、「マルチセルオペレーション」、「マルチキャリアオペレーション」、「マルチキャリア」送信および／または受信とも呼ばれる（これらは、たとえば、区別なく呼ばれる）。これは、ＣＡは、アップリンクおよびダウンリンクの方向で、シグナリングおよびデータの送信に使用されることを意味する。ＣＣの１つは、プライマリコンポーネントキャリア（ＰＣＣ：Ｐｒｉｍａｒｙ  Ｃｏｍｐｏｎｅｎｔ  Ｃａｒｒｉｅｒ）または単にプライマリキャリア、さらにはアンカーキャリアである。残りのものは、セカンダリコンポーネントキャリア（ＳＣＣ：Ｓｅｃｏｎｄａｒｙ  Ｃｏｍｐｏｎｅｎｔ  Ｃａｒｒｉｅｒ）または単にセカンダリキャリアさらには補助キャリアと呼ばれる。一般的に、プライマリまたはアンカーＣＣは、不可欠なＵＥ固有のシグナリングを運ぶ。ＰＣＣは、アップリンクと方向ＣＡの両方に存在する。セルラー通信ネットワークは、同じセクタまたはセルで動作する異なるＵＥに、異なるプライマリキャリアを割り当てることができる。
【００４０】
したがって、ＵＥは、ダウンリンクおよび／またはアップリンクに、複数のサービングセル（すなわちＰＣＣについて働く１つのプライマリサービングセルと、ＳＣＣについて働く１つ以上のセカンダリサービングセル）を持っている。プライマリサービングセルは、ＰＣｅｌｌまたはプライマリサービングセル（ＰＳＣ：Ｐｒｉｍａｒｙ  Ｓｅｒｖｉｎｇ  Ｃｅｌｌ）と区別なく呼ばれる。同様に、セカンダリサービングセルは、セカンダリセル（ＳＣｅｌｌ）またはセカンダリサービングセル（ＳＳＣ：Ｓｅｃｏｎｄａｒｙ  Ｓｅｒｖｉｎｇ  Ｃｅｌｌ）と区別なく呼ばれる。用語遣いにかかわらず、ＰＣｅｌｌおよびＳＣｅｌｌによって、ＵＥは、データを受信および／または送信できるようになる。より具体的には、ＰＣｅｌｌおよびＳＣｅｌｌは、ＵＥによるデータの受信および送信のために、ダウンリンクおよびアップリンクに存在する。ＰＣＣおよびＳＣＣの残りの非サービングセルは、近接セルと呼ばれる。
【００４１】
ＣＡに属するＣＣは、同じ周波数帯域に属してもよいし（帯域内ＣＡとも呼ぶ）、異なる周波数帯域に属してもよいし（帯域間ＣＡ）、それらの任意の組合せに属してもよい（たとえば帯域Ａ内の２つのＣＣ、帯域Ｂ内の１つのＣＣ）。さらに、帯域内ＣＡのＣＣは、周波数領域において近接してもよいし、近接していなくてもよい（帯域内非隣接ＣＡとも呼ぶ）。帯域内隣接、帯域内非隣接、および帯域間の任意の２を含むハイブリッドＣＡも可能である。異なる技術のキャリア間でＣＡを使用することは、「マルチＲＡＴ  ＣＡ」または「マルチＲＡＴマルチキャリアシステム」または単に「ＲＡＴ間ＣＡ」とも呼ばれる。たとえば、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）およびＬＴＥからの複数のキャリアをアグリゲートすることができる。別の例は、ＬＴＥ  ＦＤＤおよびＬＴＥ  ＴＤＤのアグリゲーションであり、これはまた、区別なくマルチデュプレックスＣＡシステムと呼ぶことができる。さらに別の例は、ＬＴＥおよびＣＤＭＡ２０００キャリアのアグリゲーションである。明瞭さのために、同じ技術内のＣＡは、「ＲＡＴ内」または単に「単一ＲＡＴ」のＣＡと見なすことができる。
【００４２】
ＣＡのＣＣは、同じサイトまたは無線ネットワークノード（たとえば、無線基地局、リレー、モバイルリレーなど）で、同じ場所を共用することも、または同じ場所を共用しないこともできる。たとえば、ＣＣは、異なる場所に起因する（つまり送信／受信される）場合がある（たとえば、複数の定位置に設置されない基地局から、または基地局およびＲＲＨから、または複数のリモート無線ユニット（ＲＲＵで）。組合せられたＣＡおよび多地点通信のよく知られている例として、分散アンテナシステム（ＤＡＳ：Ｄｉｓｔｒｉｂｕｔｅｄ  Ａｎｔｅｎｎａ  Ｓｙｓｔｅｍｓ）、ＲＲＨ、ＲＲＵ、協調マルチポイント（ＣｏＭＰ：Ｃｏｏｒｄｉｎａｔｅｄ  Ｍｕｌｔｉ−Ｐｏｉｎｔ）、マルチポイント送信／受信などが挙げられる。これらの提案されたソリューションは、また、マルチポイントＣＡシステムだけでなく、ＣＡのないマルチポイントシステムにも適用される。マルチキャリアオペレーションは、また、マルチアンテナ送信に関連して使用することができる。たとえば、各ＣＣの信号は、２つ以上のアンテナを通じてＵＥにｅＮＢによって送信することができる。この実施形態は、ＣＡまたは組み合わせられたＣＡおよびＣｏＭＰシナリオの各ＣＣに適用される。
【００４３】
セルラー通信ネットワークにおいて、エンハンスト受信機およびエンハンスト受信機と従来の受信機との組合せを使用することで、上記の測定のすべてではないにしても一部に関連する新しい問題が生じる。したがって、これらの問題に取り組むためのシステムおよび方法に対するニーズがある。
【発明の概要】
【００４４】
本開示は、セルラー通信ネットワークにおける実効的な測定（ｅｆｆｅｃｔｉｖｅ  ｍｅａｓｕｒｅｍｅｎｔ）に関する。一実施形態では、セルラー通信ネットワークにおけるノード（つまり測定するノード）は、ノードで基準測定を実行する。基準測定は、１つまたは複数の干渉成分を含む。次いで、ノードは、基準測定に含まれている干渉成分の少なくとも１つを緩和して、実効的な測定を提供する。一実施形態では、実効的な測定は、ノードによって使用されるか、別のノードに報告されるか、またはノードによって使用されかつ別のノードに報告される。
【００４５】
一実施形態では、ノードは、少なくとも１つの干渉成分を緩和するために補償値を取得し、基準測定に補償値を適用することによって、少なくとも１つの干渉成分を緩和して、それによって実効的な測定を提供する。一実施形態では、ノードは、エンハンスト受信機を装備しており、エンハンスト受信機の干渉を処理する技術が無効化されている間、基準測定が実行される。この実施形態では、補償値は、基準測定を実行している間に、干渉を処理する技術が有効化されていたなら、エンハンスト受信機によって緩和されたであろう干渉の量に基づく。このように、実効的な測定は、ノードの対応するパラメータ（たとえば信号品質）をより正確に表現している。
【００４６】
一実施形態では、ノードは、測定するノードで干渉を緩和することができるエンハンスト受信機を装備しているため、基準測定に含まれている１つまたは複数の干渉成分は、１つまたは複数の残留干渉成分である。ある特定の実施形態では、１つまたは複数の残留干渉成分は、エンハンスト受信機が干渉を処理する技術を適用した後に残る１つまたは複数の残留干渉成分である。別の具体的な実施形態では、エンハンスト受信機は、エンハンスト受信機の干渉を処理する技術を無効にするように設定され、１つまたは複数の残留干渉成分は、無効化されている干渉を処理する技術から、少なくとも部分的に、結果として生じる１つまたは複数の残留干渉成分である。次いで、ノードは、基準測定に含まれている残留干渉成分の少なくとも１つを緩和して、それによって実効的な測定を提供する。
【００４７】
当業者は、添付の図面に関する好ましい実施形態について以下の詳細な説明を読んだ後、本開示の範囲を理解し、その追加の態様を認識するであろう。
【００４８】
本明細書に組み込まれ、一部を形成する添付の図面は、本開示の複数の態様を示し、記述とともに本開示の原理について説明する役割を果たすものである。
【図面の簡単な説明】
【００４９】
【図１】ヘテロジニアスのセルラー通信ネットワークおよびヘテロジニアスのセルラー通信ネットワークで発生する可能性がある多数の干渉シナリオを示す図である。
【図２】ヘテロジニアスのセルラー通信ネットワークにおけるピコセルのセルレンジエクスパンションを示す図である。
【図３】本開示の一実施形態による、実効的な測定（たとえば実効的な信号品質測定）を可能にするセルラー通信ネットワークを示す図である。
【図４】本開示の一実施形態による、実効的な測定を生成し、実効的な測定を報告および／または使用するプロセスを示すフローチャートである。
【図５】本開示の一実施形態による、実効的な測定を取得するプロセスを示すフローチャートである。
【図６】本開示の別の実施形態による、実効的な測定を取得するプロセスを示すフローチャートである。
【図７】本開示の別の実施形態による、実効的な測定を生成し、実効的な測定を報告および／または使用するプロセスを示すフローチャートである。
【図８】本開示の一実施形態による、基準測定、実効的な測定、または基準測定と実効的な測定の両方を選択的に報告するプロセスを示すフローチャートである。
【図９】本開示の一実施形態による、実効的な測定に関係する能力情報を交換および使用するプロセスを示す図である。
【図１０】本開示の一実施形態による、図３のセルラー通信ネットワークのネットワークノードを示すブロック図である。
【図１１】本開示の一実施形態による、図３のセルラー通信ネットワークのワイヤレスデバイスの１つを示すブロック図である。
【発明を実施するための形態】
【００５０】
下記の実施形態は、当業者が実施形態を実施できるために必要な情報を示し、また実施形態を実施する最良の形態を示している。添付の図を考慮して以下の説明を読むことで、当業者は、本開示の概念を理解し、特に本明細書で扱われていないこれらの概念の応用を認識するであろう。これらの概念および応用は、本開示の範囲および添付の特許請求の範囲に含まれることを理解するべきである。
【００５１】
本開示は、セルラー通信システムの実効的な測定に関する。しかしながら、本開示の実施形態について記述する前に、ロングタームエボリューション（ＬＴＥ）のセルラー通信ネットワークにおける測定に関係する課題について記述するのが有益かもしれない。しかしながら、これらの課題は、本開示の範囲を制限するものとして解釈するべきではないことに留意されたい。言い換えると、本明細書に開示した実施形態の特定の実施は、これらの課題に取り組むために使用できるが、本開示は、それらに制限されない。
【００５２】
一般的に、干渉および信号品質に関係するＬＴＥの現在の測定は、たとえば、少なくとも１つのアグレッサ源からの干渉がある状態における参照信号受信品質（ＲＳＲＱ）測定など、干渉成分に正確に対応していない。現在の報告された測定と本当の信号品質および干渉との間の不一致は、たとえば、セル間干渉協調および／またはネットワークにおける低干渉サブフレームの設定のために発生する可能性がある大幅に変動する干渉状態においてさらに大きくなる。また、測定するノード（たとえば、ワイヤレスデバイスまたはユーザ機器デバイス（ＵＥ））で、信号品質を改善するために干渉緩和を適用するエンハンスト受信機を使用するために、深刻な不一致が発生する可能性がある一方、干渉緩和なしで取得された測定がネットワークに報告されることがありうる。この場合、ネットワークは、測定するノードの実際の実効的な信号品質を認識しない。
【００５３】
上記のシナリオでは、少なくとも次の問題が生じる場合がある。エンハンスト受信機では、干渉の処理前後で干渉が著しく異なりうる。現在、報告される測定は、干渉処理を考慮に入れていない。たとえば、受信信号強度インジケータ（ＲＳＳＩ：Ｒｅｃｅｉｖｅｄ  Ｓｉｇｎａｌ  Ｓｔｒｅｎｇｔｈ  Ｉｎｄｉｃａｔｏｒ）は、干渉処理前に計算される。同じことは無線リンク監視（ＲＬＭ：Ｒａｄｉｏ  Ｌｉｎｋ  Ｍｏｎｉｔｏｒｉｎｇ）に関係する測定値に当てはまる。その欠点は、測定するノードが干渉処理後に実際に見る測定ではなく悲観的な測定を、測定するノード（たとえばワイヤレスデバイスまたはＵＥ）が使用し、ネットワークが、その悲観的な測定を受信するということである。これにより、無線リンク監視、ハンドオーバ、パスロス推定、電力制御、承認制御、輻輳制御、他の無線リソース管理（ＲＲＭ）機能などの品質が低下する場合があり、たとえば、ＵＥによって使用される測定とネットワークに報告される測定との間の不一致のために、測定するノードとネットワークとの間で、より高い故障率、非能率的なリソース利用、およびより悪い協調が生じる場合がある。この問題は、アグレッサの干渉が強い場合（これによって、より効率的な干渉緩和が許可される）、および／またはネットワークに高い干渉の変動がある場合、さらに深刻になる場合がある。ネットワークに高い干渉の変動があることは、たとえば、低干渉サブフレームの設定（たとえば、周波数および／または時間の完全または部分的なリソース再利用を可能にする、オールモーストブランクサブフレーム（ＡＢＳ）、ポジショニングサブフレーム、セル間干渉協調のための低い干渉のリソースなど）、および特定のスケジューリング手法に起因する。本明細書に開示したシステムおよび方法の実施形態は、これらの問題に取り組むために利用することができる。
【００５４】
本開示は、セルラー通信ネットワークにおける実効的な測定に関する。とりわけ、本明細書に記述した測定（つまり基準測定と実効的な測定の両方）は、無線測定である（たとえば干渉または電力に基づく品質測定）。下に説明したように、これは、エンハンスト受信機を用いるワイヤレスデバイス（または他の測定するノード）を持つセルラー通信ネットワークにおいて、さらに特に、（たとえば処理および／または電力の要件を減らすために）エンハンスト受信機によって実行される１つまたは複数の干渉処理技術が、必ずしもアクティブだとは限らないエンハンスト受信機を用いるワイヤレスデバイス（または他の測定ノード）を持つセルラー通信システムで特に有益である。この点に関連して、図３は、本開示の一実施形態による、実効的な測定が生成および使用されるセルラー通信ネットワーク３０を示している。とりわけ、好ましい一実施形態では、セルラー通信ネットワーク３０は、第３世代パートナーシッププロジェクト（３ＧＰＰ）  ＬＴＥまたはＬＴＥ−Ａｄｖａｎｃｅｄネットワークであり、したがって、本明細書において３ＧＰＰ  ＬＴＥ用語が時々使用される。しかしながら、本明細書に開示された概念は、ＬＴＥまたはＬＴＥ−Ａｄｖａｎｃｅｄに制限されるものではない。
【００５５】
図３に示すように、セルラー通信ネットワーク３０は、無線アクセスネットワーク（ＲＡＮ）３２およびコアネットワーク３４を含む。ＲＡＮ３２は、対応するマクロセル３８にサービングする多数のマクロ（または高電力）基地局３６および対応するスモールセル４２にサービングする多数のスモール（または低電力）基地局４０を含む基地局のヘテロジニアスの配備を含む。ＬＴＥでは、マクロ基地局３６は、進化型ノードＢ（ｅＮＢ）と呼ばれる。スモール基地局４０は、ホームｅＮＢ（ＨｅＮＢ）、ピコ基地局（サービングピコセル）、フェムト基地局（サービングフェムトセル）などと呼ぶことができる。一般的に、スモール基地局４０は、マクロ基地局３６よりかなり小さい送信電力を持つ基地局である。この実施形態では、ＲＡＮ３２は、また、リレー４４、対応するマクロ基地局３６に（有線接続を介して）接続または統合された位置管理ユニット（ＬＭＵ：Ｌｏｃａｔｉｏｎ  Ｍａｎａｇｅｍｅｎｔ  Ｕｎｉｔ）４６、およびスタンドアロンのＬＭＵ４８を含む。ＲＡＮ３２は、マクロセル３８およびスモールセル４２に位置する多数のワイヤレスデバイス５０にワイヤレスアクセスを提供するように動作する。ワイヤレスデバイス５０は、また、ＵＥ、モバイル端末、移動局などと呼ぶことができる。一部の代表的なワイヤレスデバイス５０は、限定しないが、モバイル電話、セルラーネットワークインターフェースを装備したコンピュータ、セルラーネットワークインターフェースを装備したタブレットコンピュータなどを含む。
【００５６】
基地局３６、４０はコアネットワーク３４に接続される。コアネットワーク３４は、限定しないが、モビリティ管理エンティティ（ＭＭＥ：Ｍｏｂｉｌｉｔｙ  Ｍａｎａｇｅｍｅｎｔ  Ｅｎｔｉｔｙ）、サービングゲートウェイ（Ｓ−ＧＷ：Ｓｅｒｖｉｎｇ  Ｇａｔｅｗａｙ）、パケットデータネットワークゲートウェイ（Ｐ−ＧＷ：Ｐａｃｋｅｔ  Ｄａｔａ  Ｎｅｔｗｏｒｋ  Ｇａｔｅｗａｙ）など（図示せず）を含む様々なノードを含む。ＭＭＥは、コアネットワーク３４のコントロールプレーンノードである。ＭＭＥは、何よりも、ワイヤレスデバイス５０へのベアラの接続および解放を制御し、ＩＤＬＥからＡＣＴＩＶＥへの移行を制御し、セキュリティキーを扱うように動作する。Ｓ−ＧＷは、ＲＡＮ３２にコアネットワーク３４を接続するユーザプレーンノードである。Ｓ−ＧＷは、他の３ＧＰＰ技術（グローバルシステムフォーモバイルコミュニケーションズ（ＧＳＭ）／汎用パケット無線システム（ＧＰＲＳ：Ｇｅｎｅｒａｌ  Ｐａｃｋｅｔ  Ｒａｄｉｏ  Ｓｅｒｖｉｃｅ）、および高速パケットアクセス（ＨＳＰＡ））に対するモビリティアンカーだけでなく、端末が基地局３６と４０との間に移動するときにモビリティアンカーとして動作する。Ｐ−ＧＷは、インターネットにコアネットワーク３４を接続する。さらに、コアネットワーク３４は、たとえば、サービスの品質（ＱｏＳ）の処理および課金を担当するポリシーおよび課金のルール機能（ＰＣＲＦ：Ｐｏｌｉｃｙ  ａｎｄ  Ｃｈａｒｇｉｎｇ  Ｒｕｌｅｓ  Ｆｕｎｃｔｉｏｎ）、加入者情報を含むデータベースである、ホーム加入者サービス（ＨＳＳ：Ｈｏｍｅ  Ｓｕｂｓｃｒｉｂｅｒ  Ｓｅｒｖｉｃｅ）ノード、およびマルチメディアブロードキャストマルチキャストサービス（ＭＢＭＳ）を提供するノードなどの他のノードを含む。
【００５７】
説明を続ける前に、本説明の全体にわたって使用する多くの用語は、次のように規定される。
【００５８】
本明細書で使用する場合、「無線ノード」は、無線信号を送信および／または受信するその能力によって特徴付けられ、少なくとも１つの送信アンテナまたは受信アンテナを含む。無線ノードは、ワイヤレスデバイスまたは無線ネットワークノードの場合がある。
【００５９】
本説明において、ワイヤレスデバイスとＵＥという用語は、区別なく使用される。本明細書で使用する場合、「ワイヤレスデバイス」は、無線インターフェース（または無線サブシステム）を装備した任意のデバイスであり、別の無線ノードから無線信号を少なくとも送信または受信することができる。また、ワイヤレスデバイスは、無線信号を受信および復調しうる。たとえばフェムト基地局（家庭内基地局とも呼ばれる）など、一部の無線ネットワークノードは、また、ＵＥのようなインターフェースを装備できることに留意されたい。一般的な意味で理解されるワイヤレスデバイスの一例を挙げると、パーソナルデジタルアシスタント（ＰＤＡ）、ラップトップ型コンピュータ、モバイル電話、タブレット型コンピュータもしくはデバイス、センサー、固定型のリレー、モバイル型のリレー、またはＵＥのようなインターフェースを装備した任意の無線ネットワークノードがある。
【００６０】
本明細書で使用する場合、「無線ネットワークノード」は、無線通信ネットワーク（たとえばセルラー通信ネットワークのＲＡＮ）の無線ノードである。したがって、無線ネットワークノードは、たとえば、基地局（たとえば、ｅＮＢなどのマクロ基地局、またはピコ、フェムト、もしくはＨｅＮＢなどの低電力基地局）、リモートラジオヘッド（ＲＲＨ）、リモート無線ユニット（ＲＲＵ）、送信専用／受信専用の無線ネットワークノード、リレーノード、またはＬＭＵであってよい。無線ネットワークノードは、１つまたは複数の周波数で、無線信号を受信するか、または無線信号を送信しうるのであり、単一の無線のアクセス技術（ＲＡＴ間）、マルチＲＡＴ、またはマルチ規格モード（たとえば、マルチ規格無線（ＭＳＲ：Ｍｕｌｔｉ−Ｓｔａｎｄａｒｄ  Ｒａｄｉｏ））で動作することができる。無線ネットワークノードは、対応するセルを作成することも、作成しないこともできる。自身のセルを作成しない無線ネットワークノードの一部の例は、設定された無線信号を送信するビーコンデバイス、または特定の信号について測定を受信および実行する測定するノード（たとえばＬＭＵ）である。無線ネットワークノードは、また、それ自身がセルを作成する別の無線ネットワークノードとセルまたはセル識別子（ＩＤ）を共有してもよく、セルセクタ内で動作してもよく、またはそれ自身がセルを作成する無線ネットワークノードと提携してもよい。１つを超えるセルまたはセルセクタ（セルまたはその論理的もしくは地理的な部分として理解できる一般化された用語「セル」として、説明される実施形態では共通して呼ばれる）を１つの無線ネットワークノードに関連させることができる。さらに、たとえば、ワイヤレスデバイスが１つのプライマリセル（ＰＣｅｌｌ）および１つまたは複数のセカンダリセル（ＳＣｅｌｌ）を持つことができるキャリアアグリゲーション（ＣＡ）システムにおいては、１つまたは複数のサービングセル（ダウンリンクおよび／またはアップリンク）を、１つのワイヤレスデバイスについて設定することができる。また、セルは、送信ノードに関連する仮想的なセル（たとえば、セルＩＤによって特徴付けられるが、完全なセルのようにはサービスを提供しない）の場合がある。
【００６１】
本明細書で使用する場合、「ネットワークノード」は、無線ネットワークノードまたはコアネットワークノードである。限定を目的とせずネットワークノードの例を挙げると、基地局（無線ネットワークノードも）、無線ネットワーク制御装置（ＲＮＣ：Ｒａｄｉｏ  Ｎｅｔｗｏｒｋ  Ｃｏｎｔｒｏｌｌｅｒ）、ポジショニングノード、ＭＭＥ、緊急応答機関（ＰＳＡＰ：Ｐｕｂｌｉｃ  Ｓａｆｅｔｙ  Ａｎｓｗｅｒｉｎｇ  Ｐｏｉｎｔ）、自己最適化ネットワーク（ＳＯＮ）ノード、運転テストの最小化（ＭＤＴ）ノード、協調ノード、ゲートウェイノード（たとえばＰ−ＧＷもしくはＳ−ＧＷ、またはＬＭＵゲートウェイもしくはフェムトゲートウェイ）、および運用および管理（Ｏ＆Ｍ）ノードがある。
【００６２】
本明細書に使用する用語「協調ノード」は、１つまたは複数の無線ノードと無線リソースを協調するネットワークノードである。協調ノードの一例は、ネットワーク監視および設定のノード、運用サポートシステム（ＯＳＳ：Ｏｐｅｒａｔｉｏｎａｌ  Ｓｕｐｐｏｒｔ  Ｓｙｓｔｅｍ）ノード、Ｏ＆Ｍ、ＭＤＴノード、ＳＯＮノード、ポジショニングノード、ＭＭＥ、Ｐ−ＧＷもしくはＳ−ＧＷまたはフェムトゲートウェイノードなどのゲートウェイノード、関連するより小さい無線ノードを協調するマクロ基地局、他のマクロ基地局を用いてリソースを協調するマクロ基地局などがある。
【００６３】
本明細書に（典型的にはＬＴＥに関係して）説明する実施形態で使用される用語「サブフレーム」は、時間領域における例示的なリソースであり、より一般的にいえば、いかなる所定の時間インスタンスまたは期間であってもよい。
【００６４】
用語「ビクティム（ｖｉｃｔｉｍ）」は、（文脈に依存するが）たとえば、高干渉の条件で測定された信号または測定されたセルに適用することができる。用語「アグレッサ（ａｇｇｒｅｓｓｏｒ）」は、（文脈に依存するが）たとえば、ビクティムに干渉する源である、強く干渉する信号または強く干渉するセルに適用することができる。ビクティムとアグレッサの関係の例は、同種または異種のＬＴＥの物理信号またはＬＴＥの物理チャネルに対するＬＴＥの物理信号、同種または異種のＬＴＥの物理チャネルまたはＬＴＥの物理信号に対するＬＴＥの物理チャネル、ピコセルまたはピコセルにサービングされているワイヤレスデバイスに干渉を起こすマクロセルまたはマクロセルにサービングされているワイヤレスデバイス、非ＣＳＧセルまたは非ＣＳＧセルにサービングされているワイヤレスデバイスに干渉を引き起こすフェムトセルまたは限定加入者グループ（ＣＳＧ）にサービングされているワイヤレスデバイスなどである。
【００６５】
本明細書で使用する場合、「エンハンスト受信機」は、１つまたは複数の干渉を処理する技術（たとえば、干渉除去、干渉抑制、干渉抑圧など）を実行できる受信機である。一部の実施形態では、「受信機タイプ」は、「受信機技術」と区別なく使用することができる。本明細書において、干渉を扱う／緩和する技術は、たとえば、以下の１つまたは組合せを含む場合がある。
−干渉除去（ＩＣ）、たとえば、
−物理信号または物理チャネル、より具体的には、たとえば、プライマリ同期信号（ＰＳＳ）、セカンダリ同期信号（ＳＳＳ）、セル固有参照信号（ＣＲＳ）、位置決定参照信号（ＰＲＳ）、物理ブロードキャストチャネル（ＰＢＣＨ）、物理ダウンリンク制御チャネル（ＰＤＣＣＨ）、または拡張型ＰＤＣＣＨ（ｅＰＤＣＣＨ）などで適用される、または
−アンテナまたはアンテナブランチで適用される（たとえば直交偏波干渉除去）。
−干渉抑制（ＩＳ）、
−干渉抑圧（ＩＲ）、
−選択的な干渉フィルタリング、または
−パンクチャリングまたは柔軟な重みの使用（たとえば、サブキャリア、リソースエレメント、時間領域シンボルなど、特定の時間および／または周波数リソースで干渉を取り除くか重みを加える）。
【００６６】
本明細書で使用する場合、「実効的な測定」は、干渉を考慮した測定であり、ここで干渉は、たとえば、一部の干渉成分を完全にまたは部分的に取り除くかまたは補償するなど、少なくとも１つの干渉成分を選択的に緩和することによって考慮される（干渉成分は、たとえば、ノード、信号、または受信機もしくは送信機の不完全さなど、干渉源から生じる干渉である）。実効的な測定の一部の例には、実効的な受信信号品質測定（たとえば実効的なＲＳＲＱ測定または実効的な広帯域ＲＳＲＱ）、実効的な干渉測定（たとえば実効的なＲＳＳＩ測定、実効的なノイズライズ測定、実効的なノイズフロア測定）、またはＩｏ（ＵＥアンテナコネクタで測定されるように、信号および干渉を含む合計受信電力密度）、ＲＬＭに使用される実効的な無線リンク品質測定、および実効的なエアインターフェース負荷測定がある。実効的な測定は、周波数内、周波数間、ＲＡＴ間、ＣＡ測定などでよく、ワイヤレスデバイスの任意の活動状態に関連してもよく（たとえばＣＯＮＮＥＣＴＥＤ、ＩＤＬＥ、低活動、低電力消費など）、ワイヤレスデバイスの特定の状態に関連してもよく（たとえば、支援データ利用可能度に依存）、回避されたり特定の状態には関連させることができなかったりしてもよい（たとえば、干渉を処理する技術に関連する電力消費に依存）。
【００６７】
実効的な測定は、基準測定づけられてもよい。本明細書で使用する場合、「基準測定」は、干渉を考慮しない測定であり、一部の実施形態では選択的に考慮する測定である。実効的な測定は、基準測定を実行するノードと異なるノードで取得してもよいことに留意されたい。実効的な測定は、ネットワークノード（無線ネットワークノードでもよい）で取得してもよいが、基準測定は、ワイヤレスデバイス、無線ネットワークノード、または他の測定するノードで取得してもよい。
【００６８】
さらに、本明細書に説明したシグナリングは、直接的なリンクまたは論理的なリンクのいずれかを介する（たとえば、上位レイヤプロトコルを介する、ならびに／または１つまたは複数のネットワークおよび／または無線ノードを介する）。たとえば、協調ノードからワイヤレスデバイスへのシグナリングは、たとえば無線ネットワークノードなど、別のネットワークノードを通過してもよい。
【００６９】
また、上記のように、本開示は、ＬＴＥまたはＬＴＥ−Ａｄｖａｎｃｅｄに制限されるものではない。むしろ、本明細書に説明した概念および実施形態は、いかなるＲＡＮ、単一または複数のＲＡＴに適用される。ＲＡＴの他の例として、ユニバーサルモバイルテレコミュニケーションシステム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ＨＳＰＡ、ＧＳＭ、符号分割多元接続（ＣＤＭＡ）２０００、ＷｉＭＡＸ（登録商標）、およびＷｉＦｉ（登録商標）がある。さらに、本明細書に開示した概念および実施形態は、また、マルチポイント送信および／または受信システム、ＣＡシステム、およびマルチポイントＣＡシステムに適用することができる。
【００７０】
現在、同一チャネルのサービングセルおよび同一チャネルの非サービングセル、隣接チャネル間干渉、熱雑音など、すべての源からのすべての干渉およびノイズを含む干渉および電力ベースの信号品質のメトリックが、ＬＴＥで推定されている。拡張されたセル間干渉協調（ｅＩＣＩＣ：Ｅｎｈａｎｃｅｄ  Ｉｎｔｅｒ−Ｃｅｌｌ  ｉｎｔｅｒｆｅｒｅｎｃｅ  Ｃｏｏｒｄｉｎａｔｉｏｎ）に対して導入された、異なる干渉平均期間は役に立つ場合があるが、取得された測定は、まだ、非常に不正確な場合がある。本明細書に記述した実施形態を使用すると、測定するノードの状態をより正確に反映する、実効的な干渉および電力ベースの信号品質の測定を生成することができる。
【００７１】
ここで、実効的な測定を提供および利用するためのセルラー通信ネットワーク３０の動作を見ると、図４は、本開示の一実施形態による、実効的な測定を生成ならびに報告および／または使用するプロセスを示している。このプロセスは、測定するノード（つまり、基準測定を実行するノード）によって実行される。測定するノードは、たとえば、ワイヤレスデバイス５０の１つ、基地局３６、４０の１つ、ＬＭＵ４６、４８の１つ、または他の一部の無線ネットワークノードの場合がある。図示するように、測定するノードは、最初に、基準測定を実行する（ステップ１００）。基準測定は、干渉または電力ベースの品質測定（たとえばＲＳＲＱ）が好ましい。より具体的には、一実施形態では、測定するノードは、ワイヤレスデバイス５０の１つであり、基準測定は、たとえば、ＲＳＲＱ測定、広帯域ＲＳＲＱ測定、信号対干渉雑音比（ＳＩＮＲ）測定、信号対雑音比（ＳＮＲ）測定、他の受信された信号品質測定、ＲＳＳＩ測定、エアインターフェース負荷測定、ノイズライズ測定、Ｉｏ測定、ノイズフロア測定、Ｎｏｃ測定、チャネル品質インジケータ（ＣＱＩ）測定、ＲＬＭに使用されるリンク品質測定、または他の干渉測定である。Ｎｏｃは、試験手順では明確ではなかったセルからの干渉を模した、ＵＥアンテナコネクタで測定される白色ノイズ源の電力スペクトル密度（サブキャリア間隔で正規化されたリソースエレメント（ＲＥ）ごとの平均電力）として３ＧＰＰ技術仕様書（ＴＳ）３６．１３３に規定されている。このリストは例にすぎず、基準測定は、あるいは、他のタイプの測定の場合があることに留意されたい。別の実施形態では、測定するノードは、無線ネットワークノードであり（たとえばノードＢまたはｅＮｏｄｅＢなどの基地局またはＬＭＵ）、基準測定は、たとえば、受信信号品質測定、エアインターフェース負荷測定、ノイズライズ測定、Ｉｏ測定、ノイズフロア測定、または他の干渉測定である。ここでも、このリストは例にすぎず、基準測定は、あるいは、他のタイプの測定の場合がある。
【００７２】
基準測定は、１つまたは複数の干渉成分を含む。基準測定は、１つのセルについての測定であり（たとえば測定するノードがワイヤレスデバイスである場合、測定するノードのサービングセル）、１つまたは複数の干渉成分は、１つまたは複数の他のセルの源（たとえば、隣接するマクロもしくはスモールセルのワイヤレスデバイス、または隣接するマクロまたはスモールセルの基地局）からのセル間干渉を含む。さらに、１つまたは複数の干渉成分は、他の源からの干渉を含む場合がある（たとえば、セル内干渉、熱雑音、イメージ、高調波歪、ＣＡ可能な受信機による干渉、またはＣＡ動作など）。
【００７３】
一実施形態では、測定するノードは、１つまたは複数の干渉を処理する技術を選択的に適用することができるエンハンスト受信機を装備している。特に、干渉を処理する技術は、たとえば、処理および／または電力の要件を減らすために、様々な条件下でアクティブ化または非アクティブ化することができる。したがって、基準測定を実行するときに、干渉を処理する技術がアクティブか有効化されている場合、エンハンスト受信機は、少なくとも一部の干渉成分を完全または部分的に取り除き、その結果、基準測定に含まれている１つまたは複数の干渉成分は、エンハンスト受信機によって取り除かれなかったか、または部分的にのみ取り除かれた１つまたは複数の残留干渉成分である。反対に、基準測定を実行するときに干渉を処理する技術がアクティブでない場合、基準測定に含まれている１つまたは複数の残留干渉成分は、干渉成分のすべてである。
【００７４】
たとえば、測定するノードがワイヤレスデバイス５０の１つであり、基準測定がスモールセル４２の１つ（ワイヤレスデバイス５０のサービングセルまたは隣接セルのいずれでもよい）で実行された測定である場合、ワイヤレスデバイス５０は、１つまたは複数のアグレッサセルからセル間干渉を受けていることがある（たとえば、マクロ基地局３６の１つまたは複数からの干渉）。干渉は、ワイヤレスデバイス５０のエンハンスト受信機によって、取り除かれない場合があるか、または部分的にのみ取り除かれる場合がある。たとえば、ワイヤレスデバイス５０は、ＲＳＲＱ測定のＲＳＳＩ部分では参照信号（たとえば、ＣＲＳ、ＰＳＳ／ＳＳＳなど）から干渉を取り除かない場合がある。その結果、ＲＳＲＱ測定（つまり基準ＲＳＲＱ測定）は、１つまたは複数の干渉成分を含んでいる。
【００７５】
したがって、基準測定に含まれている１つまたは複数の干渉成分は、たとえば、以下によって引き起こされる干渉を含む場合がある。
−特定の源からの送信。たとえば、以下の１つまたは複数。
−異なるノード（たとえばネットワークノードまたはワイヤレスデバイス）からの送信、
−自身の信号による貢献
−特定の信号／チャネルの送信。以下に例を挙げる。
−１つまたは複数の信号の同一チャネル干渉（たとえば、既知のアグレッサセルからの同期信号、ＣＲＳ、ＰＲＳ、またはＰＢＣＨ信号）、および
−データ送信からの干渉、
−不要なＲＦ干渉。以下に例を挙げる。
−隣接チャネル間干渉、
−別のノードからの不要な放射によって引き起こされたノイズ、および
−ＲＦイメージ干渉（たとえばＣＡで）、
−熱雑音、および／または
−（たとえば、特定のサブフレーム、時間シンボル、周波数キャリア、サブキャリア、リソースブロック、帯域幅の一部、リソースエレメントなどの）特定の時間および／または周波数リソースにおける少なくとも１つの送信。
【００７６】
基準測定を実行した後、測定するノードは、基準測定に含まれている１つまたは複数の干渉成分の少なくとも１つを緩和して、それによって測定するノードについての実効的な測定を提供する（ステップ１０２）。一実施形態では、実効的な測定は基準測定と同じ測定タイプである。たとえば、基準測定が、３ＧＰＰ技術仕様書（ＴＳ）３６．２１４のＬＴＥリリース９に規定されるように現在のＬＴＥ  ＲＳＲＱ測定である場合、実効的な測定は、実効的なＲＳＲＱ測定である。
【００７７】
干渉緩和は、任意の適切な技術を使用して実行することができる。下に説明したように、一実施形態では、干渉緩和は、基準測定に補償値を適用することによって実行される。干渉緩和は、基準測定に含まれる干渉成分のすべてではないにしても一部を部分的または完全に取り除く。一実施形態では、干渉緩和は、１つまたは複数のアグレッサセルからの干渉成分を部分的または完全に取り除く。さらに、干渉緩和は、残留干渉成分の１つまたは複数を部分的または完全に取り除くことができる（たとえばセル内干渉、熱雑音など）。たとえば、測定するノードは、ワイヤレスデバイス５０の１つであってよく、この場合ワイヤレスデバイス５０は、スモール基地局４０（たとえば、サービングノードまたは隣接するノード）の１つについて基準ＲＳＲＱ測定を実行し、１つまたは複数のアグレッサセル（たとえば、マクロ基地局３６の１つなどの高電力ノード）から干渉を受信することがある。次いで、ワイヤレスデバイス５０は、ＲＳＲＱ測定のＲＳＳＩ部分での、たとえば、同期信号、参照信号（たとえばＣＲＳ、別のワイヤレスデバイスに対するＵＥ固有参照信号など）などの、特定の物理信号からの干渉成分を緩和する（たとえば取り除く）ことができる。
【００７８】
一実施形態では、基準測定に含まれている１つまたは複数の干渉成分は、エンハンスト受信機の干渉を処理する技術が無効化されていたときに、基準測定の実行から結果として生じる１つまたは複数の残留干渉成分である。この場合、干渉緩和の量は、基準測定を実行するときに、干渉を処理する技術が有効化されていた場合、エンハンスト受信機によって緩和されていたであろう基準レベルに対応する干渉の量である。これにより、実効的な測定での干渉が低下し、したがって、実効的な測定は、測定するノードで測定されたパラメータ（たとえばＲＳＲＱ）をよりよく表現する。測定するノードがエンハンスト受信機を装備している場合、重複する干渉除去を回避するべきであることに留意されたい（つまり、測定するノードは、測定するノードのエンハンスト受信機によって取り除かれなかった、または完全には取り除かれなかった干渉成分のみを緩和するべきである）。
【００７９】
一実施形態では、実効的な測定は、チャネル帯域幅の選択された部分（たとえば上位５メガヘルツ（ＭＨｚ）または下位５ＭＨｚ）にわたって、選択された１組のリソースブロックにわたって、特定の帯域幅（たとえば、チャネル帯域幅、測定帯域幅、設定された帯域幅、所定の帯域幅、所定の規則または標準によって規定された帯域幅など）にわたって取得するか、またはそれにわたって測定することができる。さらに、実効的な測定は、特定の物理的な信号またはチャネルに対して取得（または実行）してもよい。実効的な測定は、周波数内、周波数間、ＲＡＴ間（たとえば、以下に記述したステップ１０４で別のＲＡＴと通信できる）、または帯域内もしくは帯域間の測定の場合がある。実効的な測定は、ダウンリンクもしくはアップリンクの測定、またはデバイス間（Ｄ２Ｄ）測定の場合がある。
【００８０】
実効的な測定が取得されると、測定するノードは、別のノード（たとえば、ＲＡＮ３２または異なるＲＡＴにより動作する別のＲＡＮのネットワークノード）に実効的な測定を報告し、かつ／または測定するノードで実効的な測定を使用する（ステップ１０４）。ステップ１０４はオプションであることに留意されたい。次いで、実効的な測定は、望まれる動作または目的のために測定するノードおよび／または他の一部のノードで利用することができる。たとえば、実効的な測定、または実効的な測定に関連するパラメータは、別のノード（たとえば、マクロ基地局３６の１つまたはポジショニングノード、ＲＮＣなど何らかの他のネットワークノード）に通知することができる。このシグナリングは、同じＲＡＴ、または測定が実行されたＲＡＴとは異なるＲＡＴで行われる場合がある。
【００８１】
実効的な測定は、たとえば、以下の１つまたは複数のために、いくつかの異なる方法で使用することができる。
−モビリティ（たとえば、ハンドオーバしきい値）、承認／輻輳制御、またはＣＡのキャリア切換え（たとえば、以下に記述した図６を参照）、
−ＲＬＭまたは無線障害報告、
−セル間干渉の協調（たとえば、ＡＢＳの設定、セル伝送または最大電力の設定、異なる送信間での分割されたリソースの決定など）、
−ダウンリンクまたはアップリンクの電力制御、
−負荷推定、
−ダウンリンクまたはアップリンクのスケジューリング、
−リンクアダプテーション、
−受信機アダプテーション、
−ワイヤレスデバイスの電力消費管理、
−セルラーシステムとデバイス内の外部ワイヤレスシステムとの間のデバイス内の共存干渉（ｉｎ−ｄｅｖｉｃｅ  ｃｏ−ｅｘｉｓｔｅｎｃｅ  ｉｎｔｅｒｆｅｒｅｎｃｅ）管理（たとえば、実効的な測定に基づいて、デバイス内外部ワイヤレスシステムが動作できる、拒否速度（ｄｅｎｉａｌ  ｒａｔｅ）および／または拒否サブフレーム（ｄｅｎｉａｌ  ｓｕｂｆｒａｍｅｓ）の設定）、
−ポジショニング（たとえば、拡張されたセルＩＤ（Ｅ−ＣＩＤ：Ｅｎｈａｎｃｅｄ  Ｃｅｌｌ  ＩＤ）、適応可能な拡張されたセルＩＤ（ＡＥＣＩＤ：Ａｄａｐｔｉｖｅ  Ｅｎｈａｎｃｅｄ  Ｃｅｌｌ  ＩＤ）、無線周波数パターン一致（ＲＦＰＭ：Ｒａｄｉｏ  Ｆｒｅｑｕｅｎｃｙ  Ｐａｔｔｅｒｎ  Ｍａｔｃｈｉｎｇ）、ＲＦフィンガープリンティング、ハイブリッドポジショニング、推測航法などのために実効的な測定を使用）、
−ＭＤＴ（たとえば、ＭＤＴレポートの一部として実効的な測定を使用）、
−ＳＯＮ（たとえばネットワークパラメータの調整）、および／または
−ネットワークパフォーマンスを観察するための測定統計の収集。
【００８２】
この実施形態では、基準測定と実効的な測定の両方が、測定するノード（つまり、同じノード）で行われることに留意されたい。この場合、基準測定または実効的な測定のいずれが実行されるかどうかに依存して、測定するノードの受信機を適応させる必要がありうる（たとえば、適切な受信機タイプ、受信機設定、または受信機アルゴリズムを選択する）。また、測定するノードは、どの測定が報告されるべきか、および各タイプの測定がいつ報告されるべきかを適応的に判断する必要がある場合がある。
【００８３】
図５は、本開示の一実施形態に係る、図４のステップ１０２をより詳細に示している。図示するように、基準測定に含まれている干渉成分を緩和するために、測定するノードは、基準測定に含まれている干渉成分の少なくとも１つを緩和するための１つまたは複数の補償値を取得する（ステップ２００）。測定するノードは、測定するノードで補償値をローカルに決定することによって、または別のノード（たとえばネットワークノード）から補償値を取得することによって、補償値を取得することができる。一実施形態では、補償値は、測定するチャネルの特定のタイプまたは測定する信号のタイプに対して基準測定を実行するときに、測定するノードのエンハンスト受信機が緩和できるが、緩和しなかった干渉の量（または大きさ）に関連するように示すことができる。さらに、補償値は、少なくとも１つの干渉成分が基準測定にある場合（たとえば、基準測定が、期間またはいくつかの周波数リソースにわたって平均される場合）、時間および／または周波数リソースに対応して選択的に適用してもよい。あるいは、基準測定が、時間および／または周波数にわたる平均である場合、補償値は、平均された基準測定に適用される単一の補償値であってもよい。
【００８４】
別の実施形態では、補償値は、基準測定から少なくとも１つの干渉成分を完全または部分的に引く（取り除く）ために、使用できる値であり、取り除かれる干渉は、特定の受信機タイプ（たとえば、特定のリソースに対してパンクチャリングを適用するパンクチャリング受信機など）を模倣するために、特定の時間および／または周波数リソース（たとえば、干渉データおよび／または測定設定データに基づいて設定または決定される、たとえばリソースエレメント（ＲＥ））のサブセットに関連付けられる。補償値に加えて、または代えて、少なくとも１つの干渉成分を緩和するために、干渉を処理する技術を使用してもよいし、かつ／または少なくとも１つの干渉成分を緩和するために、測定するノードの受信機の少なくとも１つのＲＦ設定パラメータを適応させてもよい（たとえば、受信機の感度または受信機の選択性に関連するパラメータを適応させてもよい）。
【００８５】
補償値によって示された補償の量は、線形または対数の目盛にある場合がある。さらに、補償値によって示された補償の量は、倍率、０デシベル（ｄＢ）、正の数、負の数などの場合がある。補償値は、単一の補償値または複数の（つまり１組の）補償値を含む場合がある（たとえば、アンテナポートまたはストリームごとに１つの補償値を含む１組の補償値）。
【００８６】
補償値が取得されると、測定するノードは、基準測定に補償値を適用して、それによって実効的な測定を提供する（ステップ２０２）。一実施形態では、実効的な測定を取得するのに、基準測定から補償値が減算されるか基準測定に補償値が加算される。さらに、一実施形態では、補償値は、基準測定に適用される（たとえば、加算または減算される）単一の値である。別の実施形態では、補償値は、異なる時間および／もしくは周波数リソースについての複数の補償値、ならびに／または各アンテナポートまたはストリームについての別々の補償値を有する。たとえば、複数の補償値（異なる値でもよいし同じ値でもよい）は、異なる時間および／または周波数リソースに適用してもよい（たとえば、パンクチャリングする受信機に似た方法で特定の複数のＲＥのサブセットに対する干渉を完全に取り除く）。例としてＲＳＲＱを使用すると、ＲＳＲＱは、Ｎ個のリソースブロックにわたる測定帯域幅内の特定のシンボルで観察された合計受信電力の線形の平均であるＲＳＳＩに基づいている。したがって、ＲＳＳＩは、Ｎ個のリソースブロックにわたる測定帯域幅内の各観察されたシンボルについての合計受信電力を構成する多数のサブ測定からなる。したがって、一実施形態では、補償値は、各サブ測定に対する個別の補償値（同じ値でも異なる値でもよい）を含む。
【００８７】
図６は、本開示の一実施形態による、図４のステップ１０２をより詳細に示している。ステップの順序および内容は、特定の実装に依存して変わってもよいことに留意されたい。図示するように、基準測定に含まれている干渉成分を緩和するために、測定するノードは、最初に、緩和されるべき少なくとも１つの干渉成分を判断する（ステップ３００）。一般的に、干渉成分は、たとえば、特定のセル（たとえば近接セル）または特定の信号（たとえばＣＲＳ、ＰＳＳ／ＳＳＳ、またはＰＢＣＨ）でありうる。したがって、少なくとも１つの干渉成分を判断することは、たとえば、最も強い干渉するセルを判断すること（たとえば、検出によって、または、ネットワークからの支援データに示されているように）または干渉信号のタイプを判断すること（たとえば、干渉信号が、測定された信号または受信される対象のデータチャネルと重複するかどうかの分析に基づいて）を意味しうる。次いで、測定するノードは、少なくとも１つの干渉成分が基準測定に存在する可能性がある１組の時間および／または周波数リソースを判断する（ステップ３０２）。また、測定するノードは、基準測定を実行するために使用される１組の時間および／または周波数リソースを判断する（ステップ３０４）だけでなく、実効的な測定に使用される１組の時間および／または周波数リソースを判断する（ステップ３０６）。次いで、測定するノードは、基準測定へのその少なくとも１つの干渉成分の影響を判断する（ステップ３０８）。ここで判断される、基準測定へのその少なくとも１つの干渉成分の影響とは、その少なくとも１つの干渉成分が基準測定に存在する可能性がある１組の時間および／または周波数リソースと、基準測定を実行するために使用される１組の時間および／または周波数リソースの両方に存在する時間および／または周波数リソース（つまり、ステップ３０２および３０４で判断される時間および／または周波数リソースの組同士の重複）を有する。また、この影響は、干渉の量（大きさまたは重大度）を含んでもよい。干渉の量は、他の測定（たとえば、アグレッサセルの参照信号受信電力（ＲＳＲＰ））に基づいて判断してもよく、その判断は、その少なくとも１つの干渉成分についての干渉データ（たとえば干渉信号の設定および／または特徴データ）および／または基準測定および／または効果的な測定に関連付られた測定設定データを分析することによって行ってよい。干渉データおよび測定の設定データの例は、図７の説明において後述する。
【００８８】
一実施形態では、少なくとも１つの干渉成分の影響を判断すること、特に干渉の量を判断することは、以下の１つまたは複数によって補償の量（つまり補償値）を決定することを含む。
−所定の補償値を使用する（たとえば、最も強いアグレッサ信号と測定された信号との間の差がＹ  ｄＢを超えるときにＸ  ｄＢ）、
−補償値の所定の組から補償値を選択する、
−マッピングによって補償値を取得する、
−表から補償値を取得する、
−内部／外部のメモリから補償値を取得する、
−所定の規則を使用してまたは所定の関数を使用して補償値を計算する、および
−収集された測定統計または履歴データに基づいて補償値を計算する（たとえば、実効的な測定と基準測定との間の収集された差の平均またはＺ百分位数）。
補償／取り除きの量を決定することは、たとえば、以下の１つまたは複数に基づいても決定することができる。
−たとえばコヒーレントまたは非コヒーレントな平均算出など、基準測定を取得するために使用される方法、
−チャネル特性、
−測定された信号帯域幅（たとえば、ＲＳＲＱ帯域幅または広帯域ＲＳＲＱに対するチャネル帯域幅）、
−干渉推定に使用される帯域幅、
−干渉を処理する技術（たとえば、使用されたかどうか、および使用された場合はどれか）および受信機タイプ。たとえば、干渉除去可能な受信機、パンクチャリングする受信機、干渉抑圧合成（ＩＲＣ：Ｉｎｔｅｒｆｅｒｅｎｃｅ  Ｒｅｊｅｃｔｉｏｎ  Ｃｏｍｂｉｎｉｎｇ）受信機、干渉抑制受信機、ＣＡ可能な受信機など、
−干渉条件（たとえば、アグレッサセルは、測定されたセルよりどれくらい強いか、測定された信号のＥｓ／Ｉｏｔ、アグレッサセルのＳＮＲまたはＥｓ／Ｎｏｃ、測定されたセルのＳＮＲまたはＥｓ／Ｎｏｃ）、
−ＥｓおよびＩｏｔは、以下のように３ＧＰＰ  ＴＳ３６．１３３に規定されていることに留意されたい。
−Ｅｓ：ＵＥアンテナコネクタでのシンボルの有用な部分での（つまり、サイクリックプレフィックスを除く）ＲＥあたりの受信エネルギー（サブキャリア間隔で正規化された電力）、および
−Ｉｏｓ：ＵＥアンテナコネクタで測定される特定のＲＥに対する全ノイズおよび干渉の受信された電力スペクトル密度（ＲＥにわたって統合され、サブキャリア間隔で正規化された電力）
−強いアグレッサセルの数。以下に例を示す。
−セルの数または組は、支援データで提供される、
−対応する要件に従ってあらかじめ決定された数、
−測定されたセルの信号強度を信号強度が少なくともＹ  ｄＢを上回るセルの推定または予測された数、
−干渉信号の信号強度（たとえば、ワイヤレスデバイスは、近接セルのＲＳＲＰを報告してもよい）、
−測定するノードのＣＡ設定、
−ワイヤレスデバイスの場所、
−環境タイプおよび伝播（たとえば、屋内／屋外、都市／郊外／地方、見通し内／極めてマルチパスなど）、
−たとえばＣＱＩレポートからなど、別の測定から導出、
−たとえば、モビリティ、ポジショニング、ＭＤＴ、ＳＯＮなど、実効的な測定の目的、
−実効的な測定に関連する活動状態。活動状態は、基準測定を実行するノードの活動状態（たとえばＩＤＬＥ）である。以下に例を挙げる。
−ＩＤＬＥ状態に関連づけられた実効的な測定に対して、または測定するワイヤレスデバイスが低い活動状態である場合、０ｄＢまたは低い量の補償をあらかじめ決定することができる。
−周波数および／またはＲＡＴ
−０ｄＢまたは低い量の補償は、周波数間またはＲＡＴ間の実効的な測定のためにあらかじめ決定することができる。
【００８９】
最後に、測定するノードは、実効的な測定に使用されるべき時間および／または周波数リソース内で基準測定への少なくとも１つの干渉成分の影響を打ち消して、それによって実効的な測定を提供する（ステップ３１０）。一実施形態では、測定するノードは、基準測定に単一の補償値を適用することによってこれを実施する。ここでの単一の補償値は、ステップ３０８で判断された少なくとも１つの干渉成分の影響を打ち消す。別の実施形態では、測定するノードは、基準測定に実際に少なくとも１つの干渉成分が存在する時間および／または周波数リソース（つまり、ステップ３０２および３０４で判断された組の重複する時間および／または周波数リソース）に対して、同じまたは異なる補償値を適用することによって、少なくとも１つの干渉成分の影響を打ち消す。
【００９０】
たとえば、一実施形態では、１つの干渉セルからの干渉成分を含む基準測定から、干渉セルのＣＲＳによって生じる干渉を引くことによって、実効的なＲＳＳＩ測定および実効的なＲＳＲＱ測定を取得することができる。３ＧＰＰ  ＴＳ３６．２１４によると、基準ＲＳＳＩ測定は、以下のように規定される。
2016504800.tif 000004
ここで、ｎは、ｅＩＣＩＣでのサブフレームあたりのすべてのシンボルおよびｅＩＣＩＣが行われないＣＲＳシンボルのみからなる１組のシンボルであり、ｗｎは、シンボルごとの重み係数である。限定を目的としない一例として、以下を想定することができる。
2016504800.tif 000005
ここで、Ｎは、基準測定に含まれるサブフレームあたりのシンボルの数である（たとえば、ｅＩＣＩＣではＮ＝１４）。
【００９１】
基準ＲＳＳＩ測定と実効的なＲＳＳＩ測定との間の関係は、次のように示すことができる。
2016504800.tif 000006
ここで、ＲＳＳＩｒｅｆは、基準ＲＳＳＩ測定であり、
2016504800.tif 000007
は、シンボルｎの基準ＲＳＳＩであり（本明細書において、基準ＲＳＳＩ測定のサブ測定とも呼ぶ）、
2016504800.tif 000008
は、シンボルｎの実効的なＲＳＳＩであり、αｎは、どのシンボルにわたって、どのように実効的なＲＳＳＩが計算されるかを制御する要素であり（たとえば、αｎ＝０のシンボルｎでは計算されない）、Δｎは、引くことができる補償の量または干渉の量であってよい（つまり、補償値）。以下も有効な等式である。
2016504800.tif 000009
ここで
2016504800.tif 000010
（上記の簡潔化と同様に）簡潔さのために、
2016504800.tif 000011
を想定することができる。ここで、Ｖｎ，ｋは、シンボルｎのサブキャリアｋあたりの干渉重み係数であり、ｋは、干渉するＣＲＳが存在するサブキャリアを指し（干渉するセルでのＣＲＳアンテナポートの数にも依存する）、ＲＰｎ，ｋは、サブキャリアｋおよびシンボルｎで受信された干渉信号電力であり（ＲＰは、たとえばＲＳＲＰに基づいて取得することができる）、ｒｎ，ｋは、実効的な測定を取得するために、基準測定からの干渉信号の減算を制御する要素である。完全な減算またはパンクチャリングは、たとえば、ｒｎ，ｋ＝１に対応してよく、部分的な干渉除去は、たとえば、０＜ｒｎ，ｋ＜１に対応してもよい。補償がないまたは干渉信号がない場合は、ｒｎ，ｋ＝０である。
【００９２】
上記から、実効的なＲＳＳＩ測定は、たとえば、次のように取得することができる。
2016504800.tif 000012
および
2016504800.tif 000013
これは、平均の想定下で、基準測定および実効的な測定が同じシンボルにわたっている場合、以下のように簡素化することができる。
2016504800.tif 000014
ここで、Ｋは、干渉するＣＲＳを持つキャリアの数であり、ｒｎは、ＲＥの補償／取り消し／取り除き要素あたりの平均であり（干渉するＣＲＳがシンボルｎにない場合はゼロであり、そうでない場合、０＜ｒｎ＜＝１）、ＲＰは、ＲＥあたりの干渉するＣＲＳの受信されたＣＲＳ電力の平均である。
【００９３】
実効的なＲＳＲＱ測定は、以下のように対数目盛で計算することができる。
ＲＳＲＱｅｆｆ＝ＲＳＲＱｒｅｆ−ＲＳＳＩｒｅｆ＋ＲＳＳＩｅｆｆ
これは、基準測定および実効的な測定が同じリソースにわたっており、重みが平均重みである場合、たとえば、以下のように得てもよい。
2016504800.tif 000015
【００９４】
一般的に、この例では、実効的なＲＳＲＱ測定は、以下の関数として得ることができる。
ＲＳＲＱｅｆｆ＝ｆ（ＲＳＲＱｒｅｆ，ＲＰ，ｎｕｍｂｅｒ＿ｏｆ＿ｔｘ＿ｐｏｒｔｓ，ｎｕｍｂｅｒ＿ｏｆ＿ｓｙｍｂｏｌｓ）
ここで、送信（Ｔｘ）ポートの数（ｎｕｍｂｅｒ＿ｏｆ＿ｔｘ＿ｐｏｒｔｓ）は、異なるＲＥにマッピングされる干渉信号を送信するアンテナポートの数であり、シンボルの数（ｎｕｍｂｅｒ＿ｏｆ＿ｓｙｍｂｏｌｓ）は、実効的なＲＳＲＱを平均するためのシンボルの組である。一実施形態によると、平均するためのシンボルの組は、データ領域のみおよび／または制御領域のみのシンボルでよい。別の実施形態では、データ領域のＣＲＳシンボルを除外することができる。さらに別の実施形態では、特定のシンボル（たとえば、アグレッサおよび／または測定されたセルの同期信号のシンボル）を含んでもよいし、含んでいなくてもよい。
【００９５】
図７は、本開示の別の実施形態に係る、実効的な測定を生成および報告し、ならびに／または使用するプロセスを示すフローチャートである。図７のプロセスのすべてのステップが必要だとは限らないこと（つまり、一部はオプションである）、およびステップの順序および内容は、異なる実装では異なる場合があることに留意されたい。図示するように、測定するノードは、実効的な測定および／または基準測定に対する要求を受信する（ステップ４００）。ステップ４００は、オプションである。また、測定するノードは、別のノードから干渉データを取得する（ステップ４０２）。一実施形態では、干渉データは、たとえば無線リソース制御（ＲＲＣ）シグナリングを介してサービング基地局３６、４０から、たとえばＬＴＥポジショニングプロトコル（ＬＰＰ）もしくはセキュアユーザプレーンロケーション（ＳＵＰＬ）を介してポジショニングノードから、または別のノード（たとえばワイヤレスデバイス５０）から受信される。干渉データ（たとえば干渉信号の設定および／または特徴データ）は、１つまたは複数の源／信号からの干渉を記述してよく、以下の１つまたは複数を含んでよい。
−干渉信号の送信電力、
−信号伝送の時間および／または周波数リソースを含む干渉信号の送信信号設定
−干渉信号に関連する帯域幅（たとえばチャネル帯域幅または送信帯域幅）、
−干渉信号に対する送信ポートの数、
−干渉するセルのサブフレーム設定、
−デュプレックス設定、
−ＭＢＳＦＮ設定、
−送信パターン、
−ＡＢＳパターン、
−干渉ノードの識別子（たとえば、干渉セルの物理セル識別子（ＰＣＩ））、
−干渉信号シーケンスを再生成するために使用できるパラメータ（たとえばＣＲＳおよびＰＲＳのシーケンスに対するＰＣＩ）、
−干渉セルのシステム情報、
−干渉信号に関連するタイミング情報（たとえば、干渉セルのシステムフレーム番号（ＳＦＮ）情報、サブフレームタイミング、同じセルまたは別のセルの基準時間に関するサブフレームオフセット、信号のタイミング、またはパターンの変化）。
干渉データのすべてが、同じメッセージで、またはさらに同じプロトコルを使用して提供されるとは限らなくてよい。ある特定の例では、干渉データは、上に説明したセル間干渉協調に関して使用されるアグレッサセル情報を含んでよい。干渉データの一部は、たとえば、時間整列、電力レベルなどに関する所定の規則に基づいて取得することも、またはデフォルト値を使用することもできる。
【００９６】
オプションとして、測定するノードは、基準測定および／または実効的な測定に関連する測定設定データを取得する（ステップ４０４）。測定設定データは、別のノードから取得することができる（たとえばサービング基地局３６、４０）。測定設定データは、たとえば、以下の１つまたは複数を含んでよい。
−測定時間領域および／または周波数領域パターン（より具体的な例では、たとえば、上に説明したセル間干渉協調に関する測定リソース限定パターン）、
−帯域幅（たとえば、設定された測定帯域幅または適用可能な測定帯域幅）、
−信号の識別子または測定される信号に関連する送信するノードの識別子（たとえば測定されるセルのＰＣＩ）、
−測定される信号のタイプ、
−測定される信号に関連するサブフレーム設定、
−測定される信号に関連するデュプレックス設定、
−測定される信号に関連するマルチキャストブロードキャスト単一周波数ネットワーク（ＭＢＳＦＮ）の設定、
−測定ギャップ設定：
−測定ギャップは、３ＧＰＰ  ＴＳ３６．１３３に規定されていることに留意されたい。測定ギャップの間に、受信機は、別の周波数（つまりサービングセルのもの以外の周波数）で、別の周波数帯域（つまりサービングセルのもの以外の周波数帯域）で、または別のＲＡＴ（つまりサービングセルのもの以外のＲＡＴ）で測定を実行するように調整される。または
−ポジショニングサブフレームの設定（３ＧＰＰ  ＴＳ３６．２１１に規定）またはアップリンク測定のためのサウンディング参照信号（ＳＲＳ：Ｓｏｕｎｄｉｎｇ  Ｒｅｆｅｒｅｎｃｅ  Ｓｉｇｎａｌ）の設定
測定設定データは、測定するノードの受信機の特定の活動状態に関連してもよい（たとえば、間欠受信（ＤＲＸ）、ＩＤＬＥ、省電力モードなど）。さらにまたはあるいは、測定設定データは、たとえば、干渉除去可能な受信機、パンクチャリングする受信機、ＩＲＣ受信機、干渉抑制受信機、ＣＡ可能な受信機など測定するノードの受信機の特定の受信機タイプに関連していてもよい。またさらに、測定設定データの一部は、また、たとえば、時間整列、電力レベルなど、あらかじめ決定された規則に基づいて取得することも、またはデフォルト値を使用することもできる。
【００９７】
また、測定するノードは、測定される信号に関連するデータをオプションとして取得することができる（ステップ４０６）。たとえば、測定される信号に関連するデータは、測定される信号を送信するセルのタイミング情報またはシステム情報を含んでよい。
【００９８】
次いで、測定するノードは基準測定を実行する（ステップ４０８）。この実施形態では、測定するノードは基準測定を実行するが、別の実施形態では、基準測定は、別のノードから取得できることに留意されたい。とりわけ、基準測定に関連する測定設定データは、基準測定を実行するために使用することができる。
【００９９】
次いで、測定するノードは、基準測定および干渉データに基づいて１つまたは複数の実効的な測定を取得する（ステップ４１０）。測定するノードは、たとえば、本明細書で説明した実施形態のいずれかを使用して、実効的な測定を取得することができる。オプションとして、測定するノードは、上記のように、基準測定、実効的な測定、または基準測定と実効的な測定の両方を報告および／または使用する（ステップ４１２）。
【０１００】
次に進む前に、測定するノードは、１つまたは複数の所定の要件および試験に準拠する必要がありうることに留意されたい。たとえば、測定するノードがワイヤレスデバイス５０の１つである場合、ワイヤレスデバイス５０は、たとえば、測定時間要件、測定の正確さ要件など、１つまたは複数の所定の要件を満たすことを要求されうる。
【０１０１】
一例では、正確性は、干渉レベル、異なる時間および／または周波数リソースにわたる干渉の変動、帯域幅、ＣＡ設定、測定時間、使用可能な測定機会、干渉レベルの合計、アグレッサの干渉レベル、たとえば、白色雑音にどれくらい近いかなどの干渉特性などの１つまたは複数に応じて規定することができる。測定時間要件は、測定機会の数、ＤＲＸ設定、干渉者の数、並行測定の数、測定ギャップまたは他のギャップの使用などの１つまたは複数に応じて規定することができる。これらの要件は、さらに、ワイヤレスデバイス５０のＲＦ能力、ワイヤレスデバイス５０のＣＡ能力、ワイヤレスデバイス５０の測定能力、ワイヤレスデバイス５０の受信機アーキテクチャなどに依存してもよい。また、これらの要件は、測定された周波数および／またはサービング周波数に関するＲＡＴおよび／またはＲＡＴ（たとえば、周波数内の実効的な測定に対する異なる要件、周波数間の実効的な測定、ＲＡＴ間の実効的な測定など）に依存してもよい。
【０１０２】
各要件に対して、ワイヤレスデバイス５０は、ワイヤレスデバイス５０が要件に準拠していることを実証するために、要件適合試験に合格する必要がある場合がある。本明細書で説明した実施形態の１つまたは複数は、要件に対する試験に合格するために、ワイヤレスデバイス５０によって利用することができる。たとえば、ある干渉データおよび測定設定データの組が提供され、ワイヤレスデバイスが特定の干渉条件で動作する場合、ワイヤレスデバイス５０は、実効的な測定を提供するために、基準測定から少なくとも１つの干渉成分を選択的に削除してもよい。
【０１０３】
現在、ＲＳＲＱおよびＲＳＳＩ測定に対する帯域幅要件はない。また、最大帯域幅制限もない。しかしながら、広い帯域幅にわたって実効的な測定を取得することは、大量のメモリおよびリソースを必要とする場合がある。よって、さらに別の実施形態では、実効的な測定を取得できる測定するノード（たとえばワイヤレスデバイス５０の１つ）は、測定帯域幅がしきい値（たとえば広帯域のＲＳＲＱに対する帯域幅）を超えない場合、要件の第１の組を満たし、サブフレーム内のシンボルのより大きい組の平均化を実行するように、実効的な測定を取得してよい。その一方で、測定帯域幅がしきい値を超える場合、この測定するノードは、たとえば、シンボルのより小さい組を平均に使用するか、要件の第２の（異なる）組を満たして、最善の労力で実効的な測定を提供してよい。言い換えると、ワイヤレスデバイス５０が実効的な測定を取得する能力は、ある最大の帯域幅に制限されうる。特に、実効的な測定を計算するために、２つ以上のシンボルにわたる平均化またはフィルタリングを時間内にすることが必要な場合（したがって、より多くのメモリが必要とされる場合）、このように制限されうる。たとえば、実効的な測定に対する要件に対して、広帯域ＲＳＲＱのための例外を作ることができる。また、しきい値を上回る帯域幅にわたって実効的な測定（たとえば広帯域ＲＳＲＱ）を取得できるＵＥのために、別の能力を規定してもよい。
【０１０４】
図８は、本開示の一実施形態による、基準測定、実効的な測定、または基準測定と実効的な測定の両方の選択的な報告ための実施形態を示している。この実施形態によれば、測定するノード（報告するノードとも呼ぶ場合がある）は、基準測定および実効的な測定を報告する能力を持つ。図８のプロセスを使用して、測定するノードは、どの測定をいつ報告するべきかを適応的に判断する。図８は、ステップの特定の順序を示しているが、ステップは、特定の実装に依存して異なる順序で実行してもよいことに留意されたい。
【０１０５】
図示するように、上記のように測定するノードは基準測定を実行する（ステップ５００）。次いで、測定するノードは、実効的な測定のみ、または基準測定と実効的な測定の両方ではなく、基準測定だけが報告されるべきかどうかを判断する（ステップ５０２）。基準測定のみが報告されるべきである場合、測定するノードは、別のノード（たとえばネットワークノード）に基準測定を報告する（ステップ５０４）。基準測定は、いかなる適切なシグナリングを使用して報告してもよく、たとえば、測定レポートの一部として報告してもよい。基準測定が報告されるべき唯一の測定ではないと、測定するノードが判断した場合、測定するノードは、たとえば、本明細書で説明した実施形態のいずれかを使用して、基準測定に基づいて実効的な測定を取得する（ステップ５０６）。次いで、測定するノードは、実効的な測定のみが報告されるべきかどうかを判断する（ステップ５０８）。該当する場合、測定するノードは、別のノード（たとえばネットワークノード）に実効的な測定を報告する（ステップ５１０）。実効的な測定は、いかなる適切なシグナリングを使用して報告してもよく、たとえば、測定レポートの一部として報告してもよい。実効的な測定が報告されるべき唯一の測定ではないと、測定するノードが判断した場合、測定するノードは、基準測定と実効的な測定の両方を報告する（ステップ５１２）。基準測定および実効的な測定は、いかなる適切なシグナリングを使用して報告してもよく、たとえば、測定レポートの一部として報告してもよい。
【０１０６】
測定するノードが、２つの測定タイプ（基準測定（別名「第１のタイプ」）または実効的な測定（別名「第２のタイプ」））のどちらを報告すなわち通知するべきかを判断するために（たとえば図８のステップ５０２および５０８）、測定するノードは、たとえば以下を実行してもよい。
−干渉データまたは干渉データの利用可能性に基づいて、２つの測定タイプのどちらを報告すなわち通知するべきかを判断する
−測定設定データまたは測定設定データの利用可能性に基づいて、２つの測定タイプのどちらを報告すなわち通知するべきかを判断する
−あらかじめ決定された測定タイプを報告すなわち通知するべきと判断する
−以下のようなあらかじめ決定された規則に基づいて、２つの測定タイプのどちらを報告すなわち通知するべきかを判断する
−第１の測定レポートタイプで基準測定を報告し、第２の測定レポートタイプで実効的な測定を報告する
−第１の要求に応じて基準測定を報告し、第２の要求に応じて実効的な測定を報告する
−時間および／または周波数リソースの第１の組に関して基準測定を報告し、時間および／または周波数リソースの第２の組に関して実効的な測定を報告する。以下に例を挙げる。
−時間および／または周波数リソースの第２の組は、限定された測定サブフレームを含むことができる。
−時間および／または周波数リソースの第１の組は、第１の搬送周波数または第１のコンポーネントキャリア（ＣＣ）を含むことができ、時間および／または周波数リソースの第２の組は、第２の周波数または第２のＣＣを含むことができる。
−第１の信号／チャネルタイプについては基準測定、第２の信号／チャネルタイプについては実効的な測定を報告する。
−第１のタイプのセル（たとえばマクロセル）については基準測定、第２のタイプのセル（たとえば低電力ノード）については実効的な測定を報告する
−２つの測定タイプのどちらを自律的に報告すなわち通知するべきかを判断する
−トリガイベントまたはトリガ条件に基づいて、２つの測定タイプのどちらを報告すなわち通知するべきかを判断する。以下に例を挙げる。
−測定するノードが特定の干渉状態にある場合（たとえば、セルレンジエクスパンション（ＣＲＥ）ゾーンにおいて、第１のアグレッサ信号が測定された信号または絶対しきい値を上回るＸ  ｄＢである場合、または基準測定がしきい値を下回るまたは上回る場合）、実効的な測定を報告する。
−測定の目的（つまり測定目的）に基づいて、２つの測定タイプのどちらを報告または通知するべきかを判断する。以下に例を挙げる。
−モビリティ目的またはポジショニングのためには、実効的な測定ではなく基準測定を報告する。または
−ＲＲＭ目的またはＭＤＴのためには、実効的な測定を報告する
−測定するノードのバッテリレベルまたは活動の状態に基づいて、２つの測定タイプのどちらを報告すなわち通知するべきかを判断する。以下に例を挙げる。
−バッテリレベルがしきい値を下回るか、測定するノードが低い活動状態にある場合（たとえば、ＤＲＸ、ＩＤＬＥ、省電力など）、望まれる実効的な測定がすでに使用可能でない限り、実効的な測定を報告しない
−別のノードから受信された設定に基づいて、２つの測定タイプのどちらを報告すなわち通知するべきかを判断する。以下に例を挙げる。
−別のノードは、測定するノードに特定の測定タイプを要求することができる（つまり、第１のタイプ、第２のタイプ、または両方を報告しなければならないかどうか）。
−上記の任意の組合せに基づいて、２つの測定タイプのどちらを報告すなわち通知するべきかを判断する
別の例では、測定するノードは、たとえば、以下を報告してもよい。
−両方の測定タイプ。以下に例を挙げる。
−セルラー通信ネットワーク３０によって、領域内にいる１つまたは複数のワイヤレスデバイス５０にとっての実効的な測定と基準測定との間の差についての統計を収集するため。このような統計は、たとえば、実効的な測定を予測するために使用することができる（たとえば、基準測定または初期の実効的な測定に基づいて、事前に予測するため、および／または基準測定のみを使用可能な場合に、所定の時間に実効的な測定を予測するため）。もしくは
−基準測定と実効的な測定との間の関係を記述する補償係数を格納するデータベースを取得するために必要なデータを取得するため。または
−１つの測定タイプおよび他方の測定タイプを判断するために使用できる少なくとも１つのパラメータ。たとえば、明示的に通知された補償係数
【０１０７】
ある実施形態では、測定するノードが、実効的な測定に関係するその能力を別のノードに通知するのが望ましい場合がある。この点に関して、図９は、本開示の一実施形態による、測定するノードが別のノードに能力情報を通知する動作および能力情報を使用する他方のノードの動作を示している。図示するように、測定するノードは、別のノードにその能力情報を送信すなわち通知する（ステップ６００）。他方のノードは、たとえば、ワイヤレスデバイス５０の１つまたはネットワークノードであってよい（たとえば、基地局３６、４０の１つ）。測定するノードの能力情報は、実効的な測定に関係する測定するノードの能力を示す情報である。一実施形態では、能力情報は、以下の１つまたは複数を含む。
−実効的な測定に関連する要求（および干渉データ）を受信することができる測定するノードの能力を示す情報、
−少なくとも１つのタイプ、または特定の信号タイプ、または特定の干渉タイプについての実効的な測定を取得することができる測定するノードの能力を示す情報、
−基準測定に基づいて実効的な測定を取得することができる測定するノードの能力を示す情報（逆の変換）、
−別のノードに実効的な測定を通知することができる測定するノードの能力を示す情報、または
−上記の任意の組合せ。
【０１０８】
次いで、ノードは、測定するノードの能力情報を使用する（ステップ６０２）。たとえば、ノードは、測定するノードから異なる測定を要求または設定するため、干渉に関する支援データおよび／または測定設定データを適応的に構築および提供するため、測定するノードが実効的な測定を取得および／または報告できることをノードが認識していることを保証するため、または報告された測定が実効的な測定であり基準測定ではないことを保証するために（たとえば、測定するノードおよびノードの２重補償を回避するなどのため）、能力情報を使用することができる。干渉に関する支援データおよび／または測定設定データに関して、ノードが実効的な測定を取得することができる場合、測定するノードには、たとえば支援情報が提供される。このような支援情報は、１つまたは複数の干渉成分（たとえば、干渉するセルのセルＩＤ、干渉成分の絶対的または相対的な送信タイミング、干渉成分によって使用される時間および／または周波数リソースなど）を、測定するノードが判断できるようにする。
【０１０９】
図１０は、本開示の一実施形態によるネットワークノード５２のブロック図である。図示するように、ネットワークノード５２は、通信サブシステム５４、１つまたは複数の無線ユニット（図示せず）を含む無線サブシステム５６、および処理サブシステム５８を含む。通信サブシステム５４は、他のネットワークノードとの間で通信を送信および受信するために、一般的にはアナログ、および一部の実施形態ではデジタルの構成要素を含む。無線サブシステム５６は、ワイヤレスデバイス５０との間でメッセージをワイヤレスで送信および受信するために、一般的にはアナログ、および一部の実施形態ではデジタルの構成要素を含む。無線サブシステム５６は、すべてのネットワークノードに含まれているわけではないことに留意されたい。たとえば、無線サブシステム５６は、ＲＡＮ３２のネットワークノードに含まれているが、コアネットワーク３４のネットワークノードに含まれていない。
【０１１０】
処理サブシステム５８は、ハードウェア、またはハードウェアおよびソフトウェアの組合せで実装される。特定の実施形態では、処理サブシステム５８は、たとえば、１つもしくは複数の汎用マイクロプロセッサもしくは専用マイクロプロセッサまたは本明細書に説明したネットワークノード５２の機能の一部またはすべてを実行するのに適切なソフトウェアおよび／またはファームウェアでプログラムされた他のマイクロコントローラを有してもよい。さらにまたはあるいは、処理サブシステム５８は、本明細書に説明したネットワークノード５２の機能の一部またはすべてを実行するように設定された、様々なデジタルハードウェアブロックを有してもよい（たとえば特定用途向け集積回路（ＡＳＩＣ）、１つまたは複数の既製のデジタルおよびアナログのハードウェア構成要素、またはそれらの組合せ）。さらに、特定の実施形態では、ランダムアクセスメモリ（ＲＡＭ）、読み取り専用メモリ（ＲＯＭ）、磁気記憶デバイス、光学記憶デバイス、または他の適切なタイプのデータ記憶装置構成要素など、非一時的コンピュータ可読媒体に格納されたソフトウェアまたは他の命令を実行する、処理サブシステム５８によって、ネットワークノード５２の上記の機能を全体的または部分的に実装してもよい。
【０１１１】
図１１は、本開示の一実施形態による、図３のワイヤレスデバイス５０の１つのブロック図である。図示するように、ワイヤレスデバイス５０は、１つまたは複数の無線ユニット（図示せず）を含む無線サブシステム６０および処理サブシステム６２を含む。無線サブシステム６０は、ＲＡＮ３２（たとえば基地局３６、４０）のネットワークノード、一部の実施形態では、他のワイヤレスデバイス５０（たとえば、Ｄ２Ｄ通信の場合）との間でメッセージをワイヤレスで送信および受信するために、一般的にはアナログ、および一部の実施形態ではデジタルの構成要素を含む。
【０１１２】
処理サブシステム６２は、ハードウェア、またはハードウェアとソフトウェアの組合せで実装される。特定の実施形態では、処理サブシステム６２は、たとえば、１つもしくは複数の汎用マイクロプロセッサもしくは専用マイクロプロセッサまたは本明細書に説明したワイヤレスデバイス５０の一部またはすべての機能を実行するために、適切なソフトウェアおよび／もしくはファームウェアでプログラムされた他のマイクロコントローラを有してもよい。さらにまたはあるいは、処理サブシステム６２は、本明細書に説明したワイヤレスデバイス５０の機能の一部またはすべてを実行するように設定された様々なデジタルハードウェアブロックを有してもよい（たとえば、１つまたは複数のＡＳＩＣ、１つまたは複数の既製のデジタルおよびアナログのハードウェア構成要素、またはそれらの組合せ）。さらに、特定の実施形態では、ＲＡＭ、ＲＯＭ、磁気記憶装置、光学記憶デバイス、または他の適切なタイプのデータ記憶装置の構成要素など非一時的コンピュータ可読媒体に格納されたソフトウェアまたは他の命令を実行する処理サブシステム６２によって、ワイヤレスデバイス５０の上記の機能を全体的または部分的に実装してもよい。
【０１１３】
本開示の全体にわたって以下の頭字語を使用する。
−３ＧＰＰ  第３世代パートナーシッププロジェクト
−ＡＢＳ  オールモーストブランクサブフレーム
−ＡＥＣＩＤ  適応可能な拡張されたセル識別子
−ＡＳＩＣ  特定用途向け集積回路
−ＢＣＣＨ  ブロードキャスト制御チャネル
−ＣＡ  キャリアアグリゲーション
−ＣＣ  コンポーネントキャリア
−ＣＤＭＡ  符号分割多元接続
−ＣｏＭＰ  協調マルチポイント
−ＣＰＩＣＨ  共通パイロットチャネル
−ＣＱＩ  チャネル品質インジケータ
−ＣＲＥ  セルレンジエクスパンション
−ＣＲＳ  セル固有参照信号
−ＣＳＧ  限定加入者グループ
−ＣＳＩ  チャネル状態情報
−ＣＳＩ−ＲＳ  チャネル状態情報参照信号
−Ｄ２Ｄ  デバイスツーデバイス
−ＤＡＳ  分散アンテナシステム
−ｄＢ  デシベル
−ＤＭＲＳ  復調用参照信号
−ＤＲＸ  間欠受信
−Ｅｃ  チップ当たりのエネルギー
−Ｅ−ＣＩＤ  拡張されたセル識別子
−ｅＩＣＩＣ  拡張されたセル間干渉協調
−ｅＮＢ  進化型ノードＢ
−ｅＰＤＣＣＨ  拡張された物理ダウンリンク制御チャネル
−Ｅ−ＵＴＲＡ  進化型ユニバーサル地上無線アクセス
−ＦＤＤ  周波数分割複信
−ＧＰＲＳ  汎用パケット無線システム
−ＧＳＭ  グローバルシステムフォーモバイルコミュニケーションズ
−ＨＡＲＱ  ハイブリッド自動再送要求
−ＨｅＮＢ  ホーム進化型ノードＢ
−ＨＲＰＤ  高速パケットデータ
−ＨＳＤＰＡ  高速ダウンリンクパケットアクセス
−ＨＳＰＡ  高速パケットアクセス
−ＨＳＳ  ホーム加入者サービス
−ＩＣ  干渉除去
−ＩＤ  識別子
−ＩＲ  干渉抑圧
−ＩＲＣ  干渉抑圧合成
−ＩＳ  干渉抑制
−ＬＴＥ  ロングタームエボリューション
−ＬＭＵ  位置測定ユニット
−ＬＰＰ  ロングタームエボリューションポジショニングプロトコル
−ＭＢＭＳ  マルチメディアブロードキャストマルチキャストサービス
−ＭＢＳＦＮ  マルチキャストブロードキャスト単一周波数ネットワーク
−ＭＤＴ  運転テストの最小化
−ＭＨｚ  メガヘルツ
−ＭＭＥ  モビリティ管理エンティティ
−ＭＭＳＥ−ＩＲＣ  最小平均二乗誤差−干渉抑圧合成
−ＭＭＳＥ−ＳＩＣ  最小平均二乗誤差−逐次干渉除去
−ｍｓ  マイクロ秒
−ＭＳＲ  マルチ規格方式の無線
−Ｎｏ  ノイズスペクトル密度
−Ｏ＆Ｍ  運用および管理
−ＯＦＤＭ  直交周波数分割多重
−ＯＯＳ  同期外
−ＯＳＳ  運用サポートシステム
−ＰＢＣＨ  物理ブロードキャストチャネル
−ＰＣＣ  プライマリコンポーネントキャリア
−Ｐ−ＣＣＰＣＨ  プライマリ共通制御物理チャネル
−ＰＣｅｌｌ  プライマリセル
−ＰＣＦＩＣＨ  物理制御フォーマットインジケータチャネル
−ＰＣＩ  物理セル識別情報
−ＰＣＲＦ  ポリシーおよび課金ルール機能
−ＰＤＡ  パーソナルデジタルアシスタント
−ＰＤＣＣＨ  物理ダウンリンク制御チャネル
−ＰＤＳＣＨ  物理ダウンリンク共有チャネル
−Ｐ−ＧＷ  パケットデータネットワークゲートウェイ
−ＰＨＩＣＨ  物理ハイブリッド自動再送要求インジケータチャネル
−ＰＭＩ  プリコーダマトリックスインジケータ
−ＰＲＳ  位置決定参照信号
−ＰＳＡＰ  緊急応答機関
−ＰＳＣ  プライマリサービングセル
−ＰＳＳ  主要な同期信号
−ＱｏＳ  サービスの品質
−ＲＡＭ  ランダムアクセスメモリ
−ＲＡＮ  無線アクセスネットワーク
−ＲＡＴ  無線アクセス技術
−ＲＥ  リソースエレメント
−ＲＦ  無線周波数
−ＲＦＰＭ  無線周波数パターン一致
−ＲＩ  ランクインジケータ
−ＲＬＦ  無線リンク障害
−ＲＬＭ  無線リンク管理
−ＲＮＣ  無線ネットワーク制御装置
−ＲＯＭ  読み取り専用メモリ
−ＲＲＣ  無線リソース制御
−ＲＲＨ  リモートラジオヘッド
−ＲＲＭ  無線リソース管理
−ＲＲＵ  リモート無線ユニット
−ＲＳＣＰ  受信信号コード電力
−ＲＳＲＰ  参照信号受信電力
−ＲＳＲＱ  参照信号受信品質
−ＲＳＳｌ  受信信号強度インジケータ
−ＲＴＴ  ラウンドトリップ時間
−Ｒｘ  受信
−ＳＣＣ  セカンダリコンポーネントキャリア
−ＳＣｅｌｌ  セカンダリセル
−ＳＦＮ  システムフレーム番号
−Ｓ−ＧＷ  サービングゲートウェイ
−ＳＩＮＲ  信号対干渉雑音比
−ＳＮＲ  信号対雑音比
−ＳＯＮ  自己最適化ネットワーク
−ＳＰＩＣＨ  セカンダリパイロットチャネル
−ＳＲＳ  サウンディング参照信号
−ＳＳＣ  セカンダリサービングセル
−ＳＳＳ  セカンダリ同期信号
−ＳＵＰＬ  セキュアユーザプレーンロケーション
−ＴＤＤ  時分割複信
−ＴＳ  技術仕様書
−Ｔｘ  送信
−ＵＥ  ユーザ機器
−ＵＭＴＳ  ユニバーサルモバイルテレコミュニケーションシステム
−ＵＴＲＡ  ユニバーサル地上無線アクセス
−ＷＣＤＭＡ  広帯域符号分割多元接続
【０１１４】
当業者は、本開示の好ましい実施形態への改善および修正を認識するだろう。そのような改善および修正はすべて、本明細書に記載した概念の範囲および以下に続く特許請求の範囲内にあるものと考えられる。
【図１】
2016504800.tif 000016
【図２】
2016504800.tif 000017
【図３】
2016504800.tif 000018
【図４】
2016504800.tif 000019
【図５】
2016504800.tif 000020
【図６】
2016504800.tif 000021
【図７】
2016504800.tif 000022
【図８】
2016504800.tif 000023
【図９】
2016504800.tif 000024
【図１０】
2016504800.tif 000025
【図１１】
2016504800.tif 000026
【手続補正書】
【提出日】平成26年9月4日(2014.9.4)
【手続補正１】
【補正対象書類名】特許請求の範囲
【補正対象項目名】全文
【補正方法】変更
【補正の内容】
【特許請求の範囲】
【請求項１】
セルラー通信ネットワーク（３０）におけるノード（５０、５２）の運用の方法であって、
前記ノード（５０、５２）で、１つまたは複数の干渉成分を含む基準測定を実行することと、
前記ノード（５０、５２）で前記基準測定に含まれている前記１つまたは複数の干渉成分のうちの少なくとも１つの干渉成分を緩和するために前記基準測定を補償して、実効的な測定を提供することと、
別のノード（５０、５２）へと前記実効的な測定を通知することと
を有する方法。
【請求項２】
前記基準測定の帯域幅、前記実効的な測定の帯域幅、および前記少なくとも１つの干渉成分の帯域幅のうちの少なくとも２つが異なる請求項１に記載の方法。
【請求項３】
別のノード（５０、５２）から実効的な測定に対する要求を受信すること
をさらに有する請求項１に記載の方法。
【請求項４】
前記実効的な測定を通知することは、状態に基づいて前記他方のノード（５０、５２）に前記実効的な測定を選択的に通知することを有する請求項１に記載の方法。
【請求項５】
前記少なくとも１つの干渉成分は、別のノード（５０、５２）によって無線送信された信号によって生成された干渉を含む請求項１に記載の方法。
【請求項６】
前記ノード（５０、５２）は、前記セルラー通信ネットワーク（３０）における無線ネットワークノード（５２）である請求項１に記載の方法。
【請求項７】
前記ノード（５０、５２）は、前記セルラー通信ネットワーク（３０）におけるワイヤレスデバイス（５０）である請求項１に記載の方法。
【請求項８】
前記ノード（５０、５２）は、前記ノード（５０および５２）によって実行される前記基準測定に含まれている前記１つまたは複数の干渉成分が１つまたは複数の残留干渉成分であるように、干渉を緩和することができるエンハンスト受信機を装備しており、
前記少なくとも１つの干渉成分を緩和するために前記基準測定を補償することは、前記基準測定に含まれている前記１つまたは複数の残留干渉成分の少なくとも１つの残留干渉成分を緩和するために前記基準測定を補償して、前記実効的な測定を提供することを有する
請求項１に記載の方法。
【請求項９】
前記基準測定は、第１のセル（３８、４２）についてのものであり、前記基準測定に含まれている前記１つまたは複数の残留干渉成分と、緩和された前記少なくとも１つの残留干渉成分の両方は、少なくとも１つの第２のセル（３８、４２）から受信された１つまたは複数の残留干渉成分を含む請求項８に記載の方法。
【請求項１０】
前記基準測定に含まれている前記少なくとも１つの残留干渉成分を緩和するために前記基準測定を補償することは、
前記基準測定に含まれている前記少なくとも１つの残留干渉成分を緩和するための少なくとも１つの補償値を取得することと、
前記ノード（５０、５２）で前記基準測定に前記少なくとも１つの補償値を適用して、前記実効的な測定を提供することと、
を有する請求項９に記載の方法。
【請求項１１】
前記基準測定を実行することは、前記エンハンスト受信機が少なくとも部分的に非アクティブ化されているときに、１つまたは複数の無線リソースについて前記ノード（５０、５２）で基準測定を実行することを有しており、このため前記基準測定に含まれている前記１つまたは複数の残留干渉成分は、前記エンハンスト受信機によって緩和され得たであろうが緩和されていない１つまたは複数の残留干渉成分であり、
前記少なくとも１つの補償値を取得することは、前記ノード（５０、５２）の前記エンハンスト受信機によって緩和され得る残留干渉の量を示す基準値に基づいて、前記少なくとも１つの補償値を決定することを有する
請求項１０に記載の方法。
【請求項１２】
前記少なくとも１つの補償値を取得することは、前記少なくとも１つの補償値が前記少なくとも１つの残留干渉成分を少なくとも部分的に取り消すような前記少なくとも１つの補償値を決定することを有する請求項１０に記載の方法。
【請求項１３】
前記少なくとも１つの補償値は、少なくとも１つの所定の補償値である請求項１０に記載の方法。
【請求項１４】
前記少なくとも１つの補償値は、補償値の所定の組の少なくとも１つである請求項１０に記載の方法。
【請求項１５】
前記少なくとも１つの補償値は、前記ノード（５０、５２）の前記エンハンスト受信機によって緩和され得る残留干渉の量を示す基準値に基づく請求項１０に記載の方法。
【請求項１６】
前記少なくとも１つの補償値は、前記ノード（５０、５２）によって実行された１つまたは複数の以前の無線測定に基づく請求項１０に記載の方法。
【請求項１７】
前記少なくとも１つの補償値は、複数のノード（５０、５２）によって実行された複数の以前の測定に対する無線測定統計と、複数のノード（５０、５２）によって実行された複数の以前の無線測定に対する履歴データとからなる群の少なくとも１つに基づく請求項１０に記載の方法。
【請求項１８】
前記少なくとも１つの補償値は、基準無線測定の実行の仕方に基づく請求項１０に記載の方法。
【請求項１９】
前記少なくとも１つの補償値は、前記基準測定を実行するときに前記ノード（５０、５２）で測定された信号の帯域幅に基づく請求項１０に記載の方法。
【請求項２０】
前記少なくとも１つの補償値は、干渉推定のための帯域幅に基づく請求項１０に記載の方法。
【請求項２１】
前記少なくとも１つの補償値は、前記ノード（５０、５２）の１つまたは複数の干渉状態に基づく請求項１０に記載の方法。
【請求項２２】
前記少なくとも１つの補償値は、前記基準測定を実行するときに、干渉を処理する技術が前記ノード（５０、５２）で使用されたかどうかを示す情報に基づく請求項１０に記載の方法。
【請求項２３】
前記基準測定を実行するときに、１つまたは複数の干渉を処理する技術が前記ノード（５０、５２）で使用された場合、前記少なくとも１つの補償値は、前記１つまたは複数の干渉を処理する技術を示す情報に基づく請求項２２に記載の方法。
【請求項２４】
前記少なくとも１つの補償値は、前記ノード（５０、５２）に対するいくつかのアグレッサセルに基づく請求項１０に記載の方法。
【請求項２５】
前記基準測定を実行することは、複数の無線リソースに対して複数のサブ測定を実行することを有し、
前記基準測定に含まれている前記少なくとも１つの残留干渉成分を緩和するために前記基準測定を補償することは、
前記少なくとも１つの残留干渉成分が存在する複数の無線リソースを判断することと、
前記基準測定を実行するために使用される複数の無線リソースを判断することと、
前記実効的な測定のための複数の無線リソースを判断することと、
前記少なくとも１つの残留干渉成分が存在する前記複数の無線リソースと、前記基準測定を実行するために使用される前記複数の無線リソースとの重複に基づいて、前記基準測定への前記少なくとも１つの残留干渉成分の影響を判断することと、
前記実効的な測定のための前記複数の無線リソース内の前記基準測定への前記少なくとも１つの残留干渉成分の前記影響を打ち消して、前記実効的な測定を提供すること
を有する請求項９に記載の方法。
【請求項２６】
前記影響を判断することは、前記少なくとも１つの残留干渉成分が存在する前記複数の無線リソースが、前記基準測定を実行するために使用される前記複数の無線リソースと重複する１組の無線リソースを判断することを有し、
前記影響を打ち消すことは、
前記実効的な測定のための前記複数の無線リソース内にある前記１組の無線リソースの各無線リソースについて、前記基準測定のための前記複数のサブ測定のうち、その無線リソースに対応する１つのサブ測定から補償値を引いて、補償されたサブ測定を提供することと、
前記補償されたサブ測定に基づいて前記実効的な測定を提供することと
を有する請求項２５に記載の方法。
【請求項２７】
前記少なくとも１つの残留干渉成分を緩和するために前記基準測定を補償することは、
前記少なくとも１つの残留干渉成分に対応する少なくとも１つの干渉信号の設定と、前記少なくとも１つの残留干渉成分に対応する前記少なくとも１つの干渉信号のための特徴データとからなる群の少なくとも１つを示す情報を取得することと、
前記情報に基づいて前記少なくとも１つの残留干渉成分を緩和するために前記基準測定を補償することと
を有する請求項９に記載の方法。
【請求項２８】
前記少なくとも１つの干渉成分を緩和するために前記基準測定を補償することは、１つまたは複数の所定の要件試験が満たされるように、前記少なくとも１つの干渉成分を緩和するために前記基準測定を補償することである請求項１に記載の方法。
【請求項２９】
実効的な測定を提供する前記ノード（５０、５２）の能力に関する能力情報をネットワークノード（５２）に通知すること
をさらに有する請求項１に記載の方法。
【請求項３０】
前記能力情報は、
実効的な測定に関連する要求を受信することができる前記ノード（５０、５２）の能力を示す情報と、
実効的な測定を取得することができる前記ノード（５０、５２）の能力を示す情報と、
少なくとも１つのタイプの実効的な測定を取得することができる前記ノード（５０、５２）の能力を示す情報と、
少なくとも１つの信号タイプについての実効的な測定を取得することができる前記ノード（５０、５２）の能力を示す情報と、
少なくとも１つの干渉タイプを緩和することによって、実効的な測定を取得することができる前記ノード（５０、５２）の能力を示す情報と、
別のノード（５０、５２）に実効的な測定を通知することができる前記ノード（５０、５２）の能力を示す情報とからなる群の少なくとも１つを含む請求項２９に記載の方法。
【請求項３１】
基準測定ではなく実効的な無線測定が前記他方のノード（５０、５２）に報告されるべきことを判断すること
をさらに有しており、
前記実効的な測定を通知することは、実効的な測定が前記他方のノード（５０、５２）に報告されるべきであるとの判断に応じて、前記他方のノード（５０、５２）に前記実効的な測定を通知することを有する
請求項１に記載の方法。
【請求項３２】
前記少なくとも１つの干渉成分を緩和するために前記基準測定を補償することは、実効的な測定が前記他方のノード（５０、５２）に報告されるべきであるという判断に応じて、前記少なくとも１つの干渉成分を緩和するために前記基準測定を補償して、前記実効的な測定を提供することを有する請求項３１に記載の方法。
【請求項３３】
基準測定ではなく実効的な測定が前記他方のノード（５０、５２）に報告されるべきであると判断することは、所定の規則に基づいて、前記他方のノード（５０、５２）に実効的な測定が報告されるべきであると判断することを有する請求項３１に記載の方法。
【請求項３４】
基準測定ではなく実効的な測定が前記他方のノード（５０、５２）に報告されるべきであると判断することは、トリガイベントとトリガ条件とからなる群の１つに応じて、前記他方のノード（５０、５２）に実効的な測定が報告されるべきであると判断することを有する請求項３１に記載の方法。
【請求項３５】
基準測定ではなく実効的な測定が前記他方のノード（５０、５２）に報告されるべきであるを判断することは、測定の目的に基づいて、前記他方のノード（５０、５２）に実効的な測定が報告されるべきであるとを判断することを有する請求項３１に記載の方法。
【請求項３６】
セルラー通信ネットワーク（３０）における運用のためのノード（５２）であって、
前記セルラー通信ネットワーク（３０）においてワイヤレス通信を提供するように設定された無線サブシステム（５６）と、
前記無線サブシステム（５６）と連携する処理サブシステム（５８）とを有しており、
前記処理サブシステム（５８）は、
前記ノード（５２）で、１つまたは複数の干渉成分を含む基準測定を実行することと、
前記ノード（５２）で前記基準測定に含まれている前記１つまたは複数の干渉成分の少なくとも１つの干渉成分を緩和するために前記基準測定を補償して、実効的な測定を提供することと、
別のノード（５０、５２）に前記実効的な測定を通知することと
を行うように設定される、ノード（５２）。
【国際調査報告】
2016504800.tif 000027
2016504800.tif 000028